(57)【要約】  【課題】装置構成を簡便にし、かつ透過型の画像表示装置のＲ、Ｇ、Ｂ各単色の色純度を向上させ、その表示画面を感光性記録媒体に転写する際、色再現性に優れ、特にグレイの色調をきちんと出すことができ、高品質の画像が転写されたプリントを得ることができる転写装置を提供する。  【解決手段】透過型の画像表示装置で用いられる赤、緑、および青のカラーフィルタの分光透過率曲線が互いに重なる領域における最大透過率を所定値よりも小さくする、もしくは感光性記録媒体の赤、緑、青のうち少なくとも２つの各分光感度が重なる領域に、所定の大きさ以上の発光ピークが存在しないように光源を構成する、もしくは画像表示装置を通過してくる光の波長及び光量のいずれか一方または両方を制御して、感光性記録媒体に記録されるグレイの色調を制御する。【選択図】  図１
2004170922.tif 000002
【特許請求の範囲】
【請求項１】
光源と、液晶層をその両側から基板で挟持する構造の透過型の画像表示装置と、感光性記録媒体とを、前記画像表示装置の画像表示面と前記感光性記録媒体の記録面とを対向させて前記光源の光の進行方向に沿って直列に配置し、前記透過型の画像表示装置から通過した表示画像を前記感光性記録媒体の前記記録面に転写する転写装置であって、
前記透過型の画像表示装置には、赤、緑、および青のカラーフィルタが設けられており、前記各カラーフィルタの分光透過率曲線が互いに重なる領域における最大透過率を所定値よりも小さくしたことを特徴とする転写装置。
【請求項２】
前記各カラーフィルタは、そのピークの透過率を所定値よりも低くした請求項１に記載の転写装置。
【請求項３】
前記各カラーフィルタは、前記各カラーフィルタの分光透過率曲線のうち少なくとも２つが重なる領域の波長の透過率を所定値より下げる物質を含有する請求項１または２に記載の転写装置。
【請求項４】
前記光源と前記画像表示素子との間に配置されており、複数の貫通孔が開孔され、前記光源からの光を略平行光として前記画像表示装置に入射させる略平行光生成素子を備える請求項１〜３のいずれかに記載の転写装置。
【請求項５】
前記略平行光生成素子は、前記画像表示装置の画像表示領域全面に設けられている請求項４に記載の転写装置。
【請求項６】
前記略平行光生成素子は、前記画像表示装置の画像表示領域の一辺に沿って設けられており、前記画像表示装置の画像表示領域の一辺と直交する辺に沿って前記略平行光生成素子を移動させる移動手段と、前記略平行光生成素子の移動方向の前後に設けられ、前記略平行光生成素子の貫通孔以外からの光を遮光する遮光マスクとを備える請求項４に記載の転写装置。
【請求項７】
光源と、透過型の画像表示装置と、感光性記録媒体とを、前記光源の光の進行方向に沿って直列に配置し、前記透過型の画像表示装置から通過した表示画像を直接あるいは画像投影手段を介して前記感光性記録媒体に転写する転写装置であって、
前記感光性記録媒体の赤、緑、青のうち少なくとも２つの各分光感度が重なる領域に、所定の大きさ以上の発光ピークが存在しないように前記光源を構成したことを特徴とする転写装置。
【請求項８】
前記光源は、前記感光性記録媒体の赤、緑、青のうち少なくとも２つの各分光感度が重なる領域において、当該光源から照射される赤光、緑光、青光のうちの１つだけが発光するように構成されている請求項７に記載の転写装置。
【請求項９】
前記光源は、前記感光性記録媒体の赤、緑、青のうち少なくとも２つの各分光感度が重なる領域以外の領域にのみ当該光源の光が存在するように構成されている請求項７に記載の転写装置。
【請求項１０】
光源と、透過型の画像表示装置と、感光性記録媒体とを、前記光源の光の進行方向に沿って直列に配置し、前記透過型の画像表示装置から通過した光により前記感光性記録媒体を露光することにより、前記画像表示装置の表示画像を前記感光性記録媒体に転写する転写装置であって、
前記画像表示装置を通過してくる光の波長及び光量のいずれか一方または両方を制御することにより、前記感光性記録媒体に記録されるグレイの色調を制御する手段を備えることを特徴とする転写装置。
【請求項１１】
前記画像表示装置のカラーフィルタの透過特性を変えることによって、当該画像表示装置を通過してくる光の波長及び光量のいずれか一方または両方の制御を行う手段を備える請求項１０に記載の転写装置。
【請求項１２】
前記光源と前記感光性記録媒体との間の位置に配置され、前記光源からの所定波長帯域の光を吸収することによって、前記画像表示装置を通過してくる光の波長及び光量のいずれか一方または両方の制御を行う吸収フィルタを備える請求項１０に記載の転写装置。
【請求項１３】
前記吸収フィルタは、ダイクロイックミラーである請求項１２に記載の転写装置。
【請求項１４】
前記画像表示装置を通過してくる光の強度あるいは前記感光性記録媒体を露光する露光時間を制御することによって、前記光量の制御を行う手段を備える請求項１０に記載の転写装置。
【請求項１５】
前記画像表示装置に表示される画像の画像データを変更することによって、前記画像表示装置を通過してくる光の強度の制御を行う手段を備える請求項１４に記載の転写装置。
【請求項１６】
前記光源は、赤、緑、青の光を個別に点灯制御可能なものであり、当該光源の赤、緑、青の光の各点灯時間を制御することによって、前記感光性記録媒体を露光する露光時間の制御を行う手段を備える請求項１４に記載の転写装置。
【請求項１７】
前記光源は、白色光を照射するものであり、当該光源の光路上に赤、緑、青のカラーフィルタを配置し、このカラーフィルタの赤、緑、青を切り換える時間を制御することによって、前記感光性記録媒体を露光する露光時間の制御を行う手段を備える請求項１４に記載の転写装置。
【発明の詳細な説明】
【技術分野】
【０００１】
本発明は、デジタルスチルカメラ（ＤＳＣ）、ビデオカメラまたはパソコン（パーソナルコンピュータ）等によりデジタル記録された画像を液晶表示デバイス（以下、ＬＣＤという）等により構成される透過型の画像表示装置に表示し、表示された画像を用いて、光により発色するインスタント写真フィルム等の感光性記録媒体に転写（画像形成）する転写装置に関する。
【背景技術】
【０００２】
従来より、デジタル記録された画像を記録媒体に転写もしくは印写、または記録する方法として、点状印字ヘッドを有するインクジェット方式、レーザ記録方式または感熱記録方式等の種々の方式が知られている。
【０００３】
上記インクジェット方式等の印字方式は、印字に時間がかかり、インクが詰まり易く、精密な印字を行うと印字した紙がインクにより湿ってしまうなどの問題点がある。また、レーザ記録方式はレンズなどの高価な光学部品が必要であるため、機器のコストが嵩むという問題点がある。また、レーザ記録方式または感熱記録方式は消費電力が大きく、携帯には不向きであるという問題点がある。
【０００４】
このように、上記記録方式による転写装置においては、一般的なことであるが、特に、インクジェット方式では精密な印字にすればするほど、駆動機構および制御機構が複雑になり、装置も大型かつ高価なものになる。さらに、印刷にも時間がかかってしまうという問題点があった。
【０００５】
これに対して、ＬＣＤを用いて表示画像をインスタントフィルム等の感光性記録媒体に形成することにより、装置構造を簡略化し、コストを低減した転写装置が提案されている。（例えば、特許文献１および特許文献２参照）。
【０００６】
特許文献１に開示された電子プリンタ（転写装置）は液晶ディスプレイの表示画面を光感応性媒体にコピーして写真品質のハードコピーを生成することができるものである。一方、特許文献２に開示された印写装置は、レンズなどの高価な光学部品を用いたり、適当な長さの焦点距離を確保することを不要として、従来の転写装置に比べ、より一層の小型軽量化、低消費電力化および低コスト化を可能にするというものである。
【０００７】
図２２（ａ）は特許文献２に開示された印写装置を示す側面図、図２２（ｂ）は図２２（ａ）のＤ部拡大図である。図２２（ａ）に示すように、透過型のＬＣＤ３００の表示面に感光フィルム４００を密着させ、ＬＣＤ３００の感光フィルム４００のある側とは反対側に設けた光源（バックライト１００）を点灯する。すなわち、蛍光灯１０１を点灯してバックライト１００を点灯することにより、このＬＣＤ３００に表示される画像を感光フィルム４００に印写するものである。図２２（ｂ）に示すように、ＬＣＤ３００は、表示面側の偏光板３０１、ガラス基板３０２、液晶層３０３、ガラス基板３０４およびバックライト１００側の偏光板３０５により構成されており、偏光板３０１から偏光板３０５までの合計厚さが２．８ｍｍである。
【０００８】
図２３は、特許文献２の他の実施形態の印写装置を示す斜視図である。特許文献２の他の実施形態においては、図２３に示すように、バックライト１００とＬＣＤ３００との間に格子２００を設けることにより、バックライト１００からの光の拡散を抑制するようにしている。すなわち、バックライト１００からの光を平行光に近づけている。さらに、格子２００とＬＣＤ３００との間に矩形状の中空の筒からなるスペーサ２０１を設けることにより、格子２００の枠組の形の像（枠組による影）が感光フィルム４００に写り込むのを防止して、光学部品を設けたり、適当な長さの焦点距離を確保したりすることなしに、感光フィルム４００上に形成される画像の鮮明度を実用上問題のない程度まで向上させたものが開示されている。
【０００９】
また、特許文献２には、図２２（ｂ）に示すように、ＬＣＤ３００の合計厚さが２．８ｍｍであり、ドットサイズが０．５ｍｍで表示されたＬＣＤ３００の画面を感光フィルム４００に印写する印写装置の例が示されている。ＬＣＤ３００から発した光の拡散を防ぐために、厚さが１０ｍｍで、貫通孔の大きさが５ｍｍ角である格子２００を配し、この格子２００とＬＣＤ３００との間に長さが２０ｍｍのスペーサ２０１を配置し、さらにＬＣＤ３００と感光フィルム４００とを密着させて、画像のボケ（不鮮明化）を防止して、印写することが示されている。
【００１０】
また、簡単な構成で、小型軽量化、低消費電力化及び低コスト化を実現し、携帯型にもすることのできるようにした転写装置として、例えば、光源と、線状光化手段と、透過型の画像表示手段と、感光性記録媒体とを光源からの光の進行方向に沿って配置し、線状光化手段によって、光源からの光を線状略平行光として、画像表示手段の表示面に垂直に入射させ、線状略平行光によって画像表示手段を相対的に走査して、画像表示手段から通過した表示画像を感光性記録媒体に転写するようにした転写装置が知られている（例えば、特許文献３、特許文献４あるいは特許文献５等参照）。
【００１１】
【特許文献１】特開平１０−３０９８２９号公報
【特許文献２】特開平１１−２４２２９８号公報
【特許文献３】特開２００２−１９６４２４号公報
【特許文献４】特開２００２−１９６４２５号公報
【特許文献５】特開２００２−１９６４２６号公報
【発明の開示】
【発明が解決しようとする課題】
【００１２】
しかしながら、特許文献１に開示された転写装置は、液晶ディスプレイの表示画面を光感応性媒体にコピーするために、液晶ディスプレイの表示画面と光感応性媒体との間に、ロッドレンズアレイなどの光学部品を用いるものであり、光学部材が高価であるという問題点がある。また、液晶ディスプレイと光感応性媒体との間に所定の間隔（総共役長）が必要であり、装置の小型化にも限界がある。特許文献１においては、例えば、総共役長が１５．１ｍｍ必要である。
【００１３】
また、特許文献２に開示された印写装置は、ＬＣＤと感光フィルムとを密着させて印写することにより画像を得ているが、この場合にも、例えば、いくつかの色が混じってしまい、中々正確な色を再現することができず、感光フィルムに転写された画像の画質が劣化するという問題点がある。これは、以下に示す理由によるものである。
【００１４】
すなわち、まず通常カラーＬＣＤは、人が見て、美しく、明るくあるようにという目的のため、カラーＬＣＤに使用される赤（以下、Ｒという）、緑（以下、Ｇという）、および青（以下、Ｂという）の各色のカラーフィルタは、透過率が高く、かつ透過波長領域が広く作られている。
【００１５】
図５は、縦軸に透過率をとり、横軸に波長をとって、Ｒ、Ｇ、およびＢの各色のカラーフィルタの分光透過率曲線を示すグラフである。図５に示す各色のカラーフィルタの分光透過率曲線Ｒ1 ，Ｇ1 ，Ｂ1 は、ＬＣＤのカラーフィルタの一例を示すものである。例えば、図５に示すように、ＬＣＤの各色のカラーフィルタは、各色のカラーフィルタとも透過波長領域が広く作られているため、波長が６００ｎｍ付近では、Ｒ光とＧ光の透過領域が重なっており、また、波長が５００ｎｍ付近では、Ｂ光とＧ光の透過領域が重なっており、それぞれの重なった領域では各両方の色の光が透過してしまう。
【００１６】
また、ＬＣＤのバックライト光源として用いられる冷陰極管も、光量を多くするため、なるべく発光領域の幅の広い蛍光物質が使われている。さらに、人の目に明るく見えるようにするため、Ｇ光を強くしてあるのが一般的である。
【００１７】
図２４は、縦軸に光強度をとり、横軸に波長をとって、ＬＣＤのバックライト光源のスペクトル波形を示すグラフである。図２４に示す光源のスペクトル波形は、いわゆる三波長型の冷陰極管のスペクトル波形である。図２４に示すように、波長５５０ｎｍ付近のＧ光を最も大きなピークとして、更に、波長５８０ｎｍや波長４９０ｎｍ付近にも大きなピークを有している。
【００１８】
また、画像が転写される感光フィルムも、それぞれＲ光、Ｇ光およびＢ光により発色する範囲は、Ｒ光、Ｇ光およびＢ光それぞれの光の波長でかなりのピークを有してはいるが、Ｒ光とＧ光とで発色する境界、およびＧ光とＢ光とで発色する境界において重なりを有している。
【００１９】
例えば、感光フィルムの例として、富士写真フイルム社製インスタントフィルム「チェキ」の分光感度分布を図２５に示す。図２５は、縦軸に感度をとり、横軸に波長をとって、感光フィルムのＲ光、Ｇ光、およびＢ光における分光感度特性を示すグラフである。図２５に示すように、「チェキ」の場合でも、Ｒ光とＧ光との境界５７０〜６００ｎｍ、及びＧ光とＢ光の境界４８０〜５１０ｎｍにおいて、わずかではあるが重なっている。
【００２０】
従って、この境界領域（混色領域）の波長の光（５８０ｎｍ付近および４８０ｎｍ付近のピークの光）は、Ｒ光とＧ光とで発色する境界（混色領域）においては、感光フィルムでは、ＲとＧとの両方が発色し、またＧ光とＢ光とで発色する境界（混色領域）においては、ＧとＢとの両方が発色してしまう。その結果、得られた画像において、混色が生じてしまい画質が劣化する。
【００２１】
上述の如く、光源がＲ光、Ｇ光およびＢ光の全ての光を含んでいる場合について説明したが、ＬＣＤに表示される色がＲ、Ｇ、またはＢの単色であり、各単色により感光フィルムが露光される場合にも、他の色が混じることを、以下、Ｇの場合を例にとって説明する。
【００２２】
ＬＣＤには、Ｇのみを表示する。それには、ＬＣＤのＧのカラーフィルタのみのドットで光が透過でき、Ｒ及びＢのカラーフィルタのドットは、光が透過しないようにする。このように、ＬＣＤにＧのみを表示した状態で、図２４に示したような三波長型冷陰極管を必要な時間点灯させる。なお、このとき、三波長型冷陰極管からは、発光できるすべての波長の光が出ている。この光は、ＬＣＤのＧのカラーフィルタを透過して、感光フィルムに達する。従って、感光フィルムに到達できる光は、ＬＣＤのＧのカラーフィルタの光の波長に対して、Ｇのカラーフィルタの透過率を乗じたものとなる。
【００２３】
図２６は、縦軸に光強度をとり、横軸に波長をとって、ＬＣＤのＧのカラーフィルタを透過した光の分光強度特性を示すグラフである。図２６に示すように、Ｇのカラーフィルタ透過後の光の強度分布は、４４０〜４８０ｎｍ位まで、だらだらとしたＢ領域の透過光があり、さらに、４９０ｎｍ付近に小さい山（ピーク）の透過光がある。また、Ｒの方向（長波長側）では、５８０ｎｍ付近に山、さらに、６１０ｎｍ付近に小さい山の透過光がある。このうち、特に、４９０ｎｍの透過光は、フィルムのＢ領域の光が出ていることになる。
【００２４】
その結果、光源として図２４に示すような分光波長特性を有する光源を用いてＬＣＤにＧの色を表示させて、感光フィルムを露光しても、感光フィルムに転写された画像の色は、殆どＧの色に近い色ではあるが、Ｂの色も少し混じった色となってしまう。
【００２５】
図２８に、以上のようにして感光フィルムを露光した結果を示す。図２８は、横軸に階調、縦軸に濃度をとって、Ｒ、Ｇ、Ｂ各色の発色の様子を示したものである。図２８では、縦軸の濃度は下へ行く程濃度が小さく、つまり明るくなって、よく発色していることを示す。図２８に示すように、Ｇだけでなく、Ｂのグラフも下へ降り、Ｂも少し発色している。例えば、階調１２０において、Ｇの濃度が１．０程度である場合に、Ｂの濃度が１．７４と、Ｇに対しＢが少し混じっていることがわかる。
【００２６】
また、前記インスタントフィルム等の感光性記録媒体は、通常は、その分光感度特性を、昼光やストロボ光に合わせてあるのが普通であり、液晶ディスプレイの光源である冷陰極管の光源スペクトルに前記感光性記録媒体の分光感度特性が合わないため、グレイの色調がきちんと出ないという問題がある。また、液晶ディスプレイにグレイを表示させても、液晶ディスプレイに使われているカラーフィルタの特性により、感光性記録媒体の分光感度特性と更に合わなくなり、例えば感光性記録媒体に形成された画像が青っぽくなってしまう。
【００２７】
また、グレイは基本的には、光源の光のＲ、Ｇ、Ｂ成分が均等に混じり合えばグレイ（黒〜白）になるのであるが、上述したように感光性記録媒体の分光感度特性が光源スペクトルとは合っていないため、感光性記録媒体の分光感度特性の違いにより、例えば光源を調整する等して、液晶ディスプレイを通過してくる光を制御する必要がある。
【００２８】
このように、従来の転写装置においては、どうしても混色が生じ、適正な色の画像を得ることができず、画質が低下するという問題点がある。このため、単に、ＬＣＤに表示された画像を転写するのみでなく、色の再現性を向上させて、高画質な画像を得ることが望まれている。
【００２９】
本発明の目的は、前記従来技術に基づく問題点を解消し、装置構成を簡便にし、かつ透過型の画像表示装置のＲ、Ｇ、Ｂ各単色の色純度を向上させ、その表示画面を感光性記録媒体に転写する際、色再現性に優れ、特にグレイの色調をきちんと出すことができ、高品質の画像が転写されたプリントを得ることができる転写装置を提供することにある。
【課題を解決するための手段】
【００３０】
上記目的を達成するために、本発明は、光源と、液晶層をその両側から基板で挟持する構造の透過型の画像表示装置と、感光性記録媒体とを、前記画像表示装置の画像表示面と前記感光性記録媒体の記録面とを対向させて前記光源の光の進行方向に沿って直列に配置し、前記透過型の画像表示装置から通過した表示画像を前記感光性記録媒体の前記記録面に転写する転写装置であって、前記透過型の画像表示装置には、赤、緑、および青のカラーフィルタが設けられており、前記各カラーフィルタの分光透過率曲線が互いに重なる領域における最大透過率を所定値よりも小さくしたことを特徴とする転写装置を提供するものである。
【００３１】
ここで、前記各カラーフィルタは、そのピークの透過率を所定値よりも低くするのが好ましい。また、前記各カラーフィルタは、前記各カラーフィルタの分光透過率曲線のうち少なくとも２つが重なる領域の波長の透過率を所定値より下げる物質を含有するのが好ましい。
【００３２】
また、前記光源と前記画像表示素子との間に配置されており、複数の貫通孔が開孔され、前記光源からの光を略平行光として前記画像表示装置に入射させる略平行光生成素子を備えるのが好ましい。
【００３３】
また、前記略平行光生成素子は、前記画像表示装置の画像表示領域全面に設けられているのが好ましい。もしくは、前記略平行光生成素子は、前記画像表示装置の画像表示領域の一辺に沿って設けられており、前記画像表示装置の画像表示領域の一辺と直交する辺に沿って前記略平行光生成素子を移動させる移動手段と、前記略平行光生成素子の移動方向の前後に設けられ、前記略平行光生成素子の貫通孔以外からの光を遮光する遮光マスクとを備えるのが好ましい。
【００３４】
また、本発明は、光源と、透過型の画像表示装置と、感光性記録媒体とを、前記光源の光の進行方向に沿って直列に配置し、前記透過型の画像表示装置から通過した表示画像を直接あるいは画像投影手段を介して前記感光性記録媒体に転写する転写装置であって、前記感光性記録媒体の赤、緑、青のうち少なくとも２つの各分光感度が重なる領域に、所定の大きさ以上の発光ピークが存在しないように前記光源を構成したことを特徴とする転写装置を提供する。
【００３５】
ここで、前記光源は、前記感光性記録媒体の赤、緑、青のうち少なくとも２つの各分光感度が重なる領域において、当該光源から照射される赤光、緑光、青光のうちの１つだけが発光するように構成されているのが好ましい。もしくは、前記光源は、前記感光性記録媒体の赤、緑、青のうち少なくとも２つの各分光感度が重なる領域以外の領域にのみ当該光源の光が存在するように構成されているのが好ましい。
【００３６】
また、本発明は、光源と、透過型の画像表示装置と、感光性記録媒体とを、前記光源の光の進行方向に沿って直列に配置し、前記透過型の画像表示装置から通過した光により前記感光性記録媒体を露光することにより、前記画像表示装置の表示画像を前記感光性記録媒体に転写する転写装置であって、前記画像表示装置を通過してくる光の波長及び光量のいずれか一方または両方を制御することにより、前記感光性記録媒体に記録されるグレイの色調を制御する手段を備えることを特徴とする転写装置を提供する。
【００３７】
ここで、前記画像表示装置のカラーフィルタの透過特性を変えることによって、当該画像表示装置を通過してくる光の波長及び光量のいずれか一方または両方の制御を行う手段を備えるのが好ましい。
【００３８】
また、前記光源と前記感光性記録媒体との間の位置に配置され、前記光源からの所定波長帯域の光を吸収することによって、前記画像表示装置を通過してくる光の波長及び光量のいずれか一方または両方の制御を行う吸収フィルタを備えるのが好ましい。また、前記吸収フィルタは、ダイクロイックミラーであるのが好ましい。
【００３９】
また、前記画像表示装置を通過してくる光の強度あるいは前記感光性記録媒体を露光する露光時間を制御することによって、前記光量の制御を行う手段を備えるのが好ましい。
【００４０】
また、前記画像表示装置に表示される画像の画像データを変更することによって、前記画像表示装置を通過してくる光の強度の制御を行う手段を備えるのが好ましい。
【００４１】
また、前記光源は、赤、緑、青の光を個別に点灯制御可能なものであり、当該光源の赤、緑、青の光の各点灯時間を制御することによって、前記感光性記録媒体を露光する露光時間の制御を行う手段を備えるのが好ましい。もしくは、前記光源は、白色光を照射するものであり、当該光源の光路上に赤、緑、青のカラーフィルタを配置し、このカラーフィルタの赤、緑、青を切り換える時間を制御することによって、前記感光性記録媒体を露光する露光時間の制御を行う手段を備えるのが好ましい。
【発明の効果】
【００４２】
本発明によれば、画像表示装置に表示された画像を感光性記録媒体に転写する際に混色を防止することができ、赤、緑、青の各単色の純色を出すことができる。このため、色再現性に優れた画像を得ることができ、特にグレイの色調をきちんと出すことが可能となり、高品位な画質を有する仕上がりプリントを得ることができる。また、本発明においては、簡単な構成で、真に小型軽量化、低消費電力化および低コスト化を可能にする転写装置を実現することが可能である。さらに、本発明によれば、高い画素密度の高精細画面を持つ液晶ディスプレイの使用を可能として、より鮮明度の高い高精細な転写画像まで、混色が少ない転写画像を得ることができる。
【発明を実施するための最良の形態】
【００４３】
以下に、添付の図面に示す好適実施形態に基づいて、本発明の転写装置を詳細に説明する。
【００４４】
まず、本発明の第１の態様の転写装置について説明する。
図１は、本発明の第１態様の第１実施形態に係る転写装置を示す模式的側断面図であり、図２は、本発明の第１態様の第１実施形態に係る転写装置の要部を示す模式的断面図である。なお、図２において、フィルムケース５１は省略している。
【００４５】
図１および図２に示すように、本実施形態の転写装置は、光源となるバックライトユニット１と、略平行光生成用の多孔板２と、デジタル記録された画像を表示する液晶表示デバイス（以下、ＬＣＤという）３と、取り付け取り外し自在なフィルムケース５１に複数枚の感光性記録媒体である感光フィルム４を収納しているフィルムパック５と、ＬＣＤ３のバックライトユニット１、多孔板２、ＬＣＤ３およびフィルムパック５を内包する本体ケース６とから構成される。なお、ＬＣＤ３は本発明における画像表示装置に対応するものである。フィルムケース５１は感光フィルム４の長手方向の一方の側面に取出口５３が設けられている。また、フィルムケース５１のＬＣＤ３と対向する面に開口部５４が形成されている。
【００４６】
ここで、多孔板２と、ＬＣＤ３と、感光フィルム４とは、バックライトユニット１からの光の進行方向に沿って直列に配置されている。ＬＣＤ３の画像表示面３ａ（表示画面）と感光フィルム４の感光面４ａとは非接触状態で対向して配置されていることが好ましいが、本願発明にいう所の色純度という点では、接触（密着）状態でも構わない。ＬＣＤ３を通過した表示画像で感光フィルム４を短時間で露光でき、バックライトユニット１から必要とされる画像鮮鋭度に対して十分な強度の平行光を射出することができれば、多孔板２を配置しなくても良い。また、ＬＣＤ画像をレンズ等の投影手段を介して転写し、多孔板２をなくしても良い。ＬＣＤ３とフィルムケース５１とはその周縁部が密着している。
【００４７】
光源となるバックライトユニット１は、ＬＣＤ３の背後からその全面に均一な光を照射するためのもので、ＬＣＤ３の画像表示面３ａと略同一の光射出面（発光面）を持つ面状光源であって、冷陰極線管等の棒状ランプ１１と、棒状ランプ１１から射出された光を所定方向に導入する導光板（図示せず）、導光板に導入された光を略直交する方向に反射させる反射シート（図示せず）および反射シートで反射された光を均一化する拡散シート（図示せず）およびプリズムシート等を有するバックライトアセンブリとからなる。
【００４８】
本実施形態に用いられるバックライトユニット１は、特に限定されるものではなく、棒状ランプ１１が発光する光を、導光板、反射シート、拡散シートおよびプリズムシートなどからなるバックライトアセンブリを用いて均一に拡散させるようにした面状光源であればよく、従来公知のＬＣＤ用バックライトユニットを用いることができる。また、本実施形態に用いられるバックライトユニット１は、所要の光強度の光を射出できる面状光源であれば、ＬＥＤアレイ光源、有機ＥＬパネルまたは無機ＥＬパネル等を用いる光源なども利用可能である。
【００４９】
図３（ａ）は本実施形態の転写装置に使用される多孔板の一部を拡大して示す正面図、（ｂ）は本実施形態の転写装置に使用される多孔板の第１の変形例を示す正面図、（ｃ）は本実施形態の転写装置に使用される多孔板の第２の変形例を示す正面図である。本実施形態に用いられる多孔板２は、必要に応じて、バックライトユニット１とＬＣＤ３との間に配置されて、バックライトユニット１からの光を略平行光（平行光を含む）にし、ＬＣＤ３に入射する光をなるべく平行にするための略平行光生成素子であって、所定厚さの矩形板に所定の形状およびサイズの貫通孔２１を所定ピッチで多数設けたものである。図３（ａ）に示すように、本実施形態においては、正三角形の頂点の位置に貫通孔２１の中心が配置されるようにして千鳥状に貫通孔２１が複数形成されている。各貫通孔２１は縁部間の距離が０．１ｍｍである。
【００５０】
また、貫通孔２１のサイズは、特に限定されるものではないが、多孔板２の貫通孔２１の直径（円の場合）または相当直径（楕円または多角形等の場合）は、５ｍｍ以下とすることが好ましく、この多孔板２の厚さが貫通孔２の直径または相当直径の３倍以上であることが好ましい。なお、上述の相当直径とは、「４×面積／総辺長（または全周長）」で表わされる長さのことである。多孔板２の貫通孔２１の直径または相当直径を５ｍｍ以下とし、この多孔板２の厚さが貫通孔２１の直径または相当直径の３倍以上とするのは、これらの条件が、多孔板２によって平行光を得るために有効な条件であるからである。特に、多孔板２の厚さが貫通孔２１の直径または相当直径に対して５倍以上、さらに好ましくは７倍〜２５倍とするのがよい。
【００５１】
また、多孔板２に設ける貫通孔２１の形状は、特に限定されるものではなく、例えば円筒形、楕円筒形または多角筒形などにすることができる。すなわち、貫通孔２１の平面形状は、特に限定されるものではなく、例えば円形、楕円形または多角形等にすることができるが、製作を容易にするために、円形または多角形とすることが好ましい。また、貫通孔２１は、多孔板２の厚さ方向には、平行な貫通孔であることが好ましいが、略平行であると見なせるものであれば良い。
【００５２】
なお、本実施形態において用いられる略平行光生成素子としては、同様の機能を有するものであれば、特に限定されるものではなく、図３（ａ）に示す多孔板２に限定されるものではない。この場合、例えば、図３（ｂ）に示す４角形格子２１ａ、図３（ｃ）に示す６角形格子２１ｂ等を用いることができる。しかし、製作が容易な点も考慮して、例えば、図３（ａ）に示されるような多孔板２とすることが好ましい。
【００５３】
また、本実施形態においては、多孔板２とＬＣＤ３との間隔は、好ましくは、０．０５ｍｍ〜１０ｍｍとし、より好ましくは０．１ｍｍ〜５ｍｍとすることが良い。これは、多孔板２に代表される略平行光生成素子の貫通孔２１のパターンが拡散光による「影」の形で現われるのを防止するためである。なお、ここで設定している上記間隔は、上述の「影」を防止するとともに、転写画像の鮮明度が低下しないための条件でもある。
【００５４】
ここで、多孔板２の材質としては、特に限定されるものではないが、例えば所定の厚さを有するアルミニウム板等の金属板、樹脂板またはカーボン材料板等を用いることができる。なお、多孔板２の厚さも、特に限定されるものではなく、要求される転写画像の鮮明度に応じて、または、ＬＣＤ３の画像表示面３ａまたは感光フィルム４の感光面４ａの大きさに合わせて、適宜選択すれば良い。また、多孔板２の製作方法としては、多孔シートを積層する方法または樹脂によるモールド（成形）方法などが実用的であるが、加工が可能であれば、特に限定されるものではなく、機械的に孔加工する方法等を含め、どのような加工法を用いても良い。
【００５５】
また、多孔板２に設ける複数の貫通孔２１の配列形状および配列ピッチは、貫通孔２１が均一に配置されるものであれば、どのようなものでも良い。例えば、貫通孔２１の配列形状は、碁盤目状または千鳥状（最密状）であって良く、好ましくは千鳥状が良い。また、例えば、特許文献２に示すような多数の貫通孔を格子状に形成した格子のようなものでもよいし、あるいは特許文献３に記載されているような、長手方向に沿って１列（または複数列）に配列された多数の貫通孔を有し、所定厚みを持ち、幅が狭く細長い柱状の多孔板を、バックライトの長手方向に、その移動方向前後を遮光しながら移動させるように構成されたもの等でもよい。また、貫通孔２１の配列ピッチは、なるべく細かい方が良く、貫通孔２１と貫通孔２１との間（貫通孔２１の縁部間の距離）は、０．０５〜０．５ｍｍが好ましく、より好ましくは０．０５〜０．３ｍｍが良い。
【００５６】
また、貫通孔２１の内面を含めて、多孔板２の全表面に対して反射防止膜を設けることが好ましい。反射防止膜としては、その反射率が所定値以下であれば、特に限定されるものではないが、例えば、黒色メッキ膜、黒色化処理膜または黒色塗装被膜などを挙げることができる。本発明においては、反射率は、２％以下であることが好ましい。これは、反射率が２％以下であれば、バックライトユニット１から入射した、平行光以外の散乱光を効率良く吸収でき、バックライトユニット１から略平行光（平行光を含む）のみを効率良く射出させて、ＬＣＤ３に入射させることができるからである。なお、反射率は、例えば、（株）島津製作所製ＭＰＣ３１００型分光反射率測定機を用い、波長５５０ｎｍで測定することができる。
【００５７】
ＬＣＤ３は、デジタル記録された画像を表示するための透過型の画像表示装置であって、デジタルスチルカメラ、デジタルビデオカメラまたはパーソナルコンピュータなどのデジタル画像データ供給部に接続され、供給されるデジタル画像データに応じて表示画像を透過像として表示するものである。なお、ＬＣＤ３に接続されているデジタルカメラ等のデジタル画像データ供給部では、予め用意されている画像の内から、任意の画像を選択して供給できるように構成されている。なお、ＬＣＤ３に供給されるデジタル画像データとしては、上述の場合の他、スキャナ等によって透過原稿または反射原稿から読み取られたものであっても良い。また、ＬＣＤ３は、透過像として画像を表示できれば、どのようなものでも良く、デジタル画像データではなくても、通常のビデオカメラで撮影された画像のアナログ画像データに基いて画像を表示するものであっても良い。
【００５８】
なお、このＬＣＤ３と、多孔板２との間には、所定の間隙を設けているが、この間隙は、上述したように、好ましくは０．０５ｍｍ〜１０ｍｍであり、より好ましくは０．１ｍｍ〜５ｍｍである。しかし、任意の寸法に調整可能に構成されていることが好ましい。
【００５９】
図４は本実施形態の転写装置に使用される透過型の液晶表示素子の構造を示す断面図である。ＬＣＤ３は、図４に示すように、感光フィルム４の側から多孔板２側（バックライトユニット１側）に向かって、フィルム状偏光板（以下、偏光フィルムともいう）３１と、ガラス基板３２と、電極３３と、液晶層３４と、電極３５と、ガラス基板３６と、フィルム状偏光板３７とを積層し、液晶層３４をその両側からガラス基板３２、３６および偏光板３１、３７で挟持する構造を有するものである。ガラス基板３２と電極３３との間にはＲ、ＧおよびＢの各色のカラーフィルタ３８が設けられている。カラーフィルタ３８は、Ｒ、Ｇ、およびＢの各色のカラーフィルタ３８Ｒ、３８Ｇ、３８Ｂ、およびブラックマトリックス３９によって構成されている。周知のように、ＬＣＤ３は、この他、配向膜（図示せず）等を有しているのはいうまでもない。ここで、例えば、ＴＦＴ型ＬＣＤの場合、電極３３は、共通電極であり、電極３５は、表示電極およびゲート電極等である。なお、ガラス基板３２および３６の代りに樹脂基板等を用いてもよい。
【００６０】
本実施形態のＬＣＤ３においては、Ｒ、Ｇ、およびＢの各色のカラーフィルタ３８Ｒ、３８Ｇ、３８Ｂの分光透過率曲線が相互に重なる領域における透過率の最大値が所定値よりも小さいものを用いる。これにより、３原色（Ｒ、Ｇ、およびＢ）の各色との混色が減少し、ＬＣＤ３の各色の色純度が向上し、高品位なプリントを得ることができる。
【００６１】
以下、各色のカラーフィルタ３８Ｒ、３８Ｇ、３８Ｂの分光透過率曲線が相互に重なる領域における透過率の最大値を所定値よりも小さくすることについて、具体的に説明する。
【００６２】
図５に、縦軸に透過率をとり、横軸に波長をとって、Ｒ、Ｇ、およびＢの各色のカラーフィルタの分光透過率を示す。図５に示す分光透過率曲線Ｒ1 ，Ｇ1 ，Ｂ1 は、ＬＣＤのカラーフィルタの一例を示すものである。例えば、図５に示すように、ＬＣＤのカラーフィルタは、いずれのカラーフィルタとも透過波長領域が広く作られているため、波長が６００ｎｍ付近では、Ｒ光とＧ光の透過領域が重なっており、また、波長５００ｎｍ付近では、Ｂ光とＧ光の透過領域が重なっており、それぞれの領域では各両方の光が透過してしまう。この場合、分光透過率曲線Ｂ1と分光透過率曲線Ｇ1 とが重なる領域における透過率の最大値は、約５５％であり、分光透過率曲線Ｒ1 と分光透過率曲線Ｇ1とが重なる領域における透過率の最大値は、約４０％である。
【００６３】
本態様は、分光透過率曲線Ｒ1 ，Ｇ1 ，Ｂ1 が相互に重なる領域における透過率の最大値を所定値よりも小さくするものであり、具体的には、この透過率の最大値を５０％以下とするものである。また、この透過率の最大値は、３０％以下とすることが好ましく、更に好ましくは、透過率の最大値は２０％以下であることが望ましい。なお、理想的には、この相互に重なる領域における透過率の最大値は０％である。このように、分光透過率曲線Ｒ1，Ｇ1 ，Ｂ1 が相互に重なる領域における透過率の最大値を５０％以下に規制することにより、ＬＣＤから射出される各色の色純度が向上するので、高品位の画像を有する仕上がりプリントを得ることができる。
【００６４】
また、各色のカラーフィルタの分光透過特性は、感光材料の分光感度特性にも依存する。このため、感光材料の分光感度特性に合わせてＬＣＤ３のカラーフィルタの分光透過率特性を調整する必要がある。図２５に示す感光材料において、Ｂ光およびＧ光の分光感度曲線が重なる波長域は、４６０〜５１０ｎｍであり、Ｒ光およびＧ光の分光感度曲線が重なる波長域は、５７０〜６００ｎｍである。この場合、ＬＣＤ３のカラーフィルタは、４６０〜５１０ｎｍおよび５７０〜６００ｎｍの波長域における透過率を低くする必要がある。
【００６５】
本実施形態においては、各色のカラーフィルタの濃度を高くすることにより、各色のカラーフィルタの透過率を全波長域において小さくする。これにより、分光透過率曲線が重なる領域における透過率の最大値も下がる。従って、各色のカラーフィルタの分光透過率特性を変更することなく、各色のカラーフィルタの分光透過率曲線が重なる領域における透過率の最大値を所定値よりも小さくすることができる。例えば、図５に示すように、分光透過特性が分光透過率曲線Ｒ1 ，Ｇ1 ，Ｂ1 で示される各色のカラーフィルタの濃度をそれぞれ２倍にすることにより、全波長域における透過率が半分になる。この場合、各色のカラーフィルタの分光透過特性は、それぞれ分光透過率曲線Ｒ2，Ｇ2 ，Ｂ2 のように示される。
【００６６】
濃度を２倍にすることにより、ＢのカラーフィルタとＧのカラーフィルタとが重なる領域における透過率の最大値を約５５％から約３０％とすることができ、一方、ＧのカラーフィルタとＲのカラーフィルタとが重なる領域における透過率の最大値を約４０％から約２０％とすることができる。このように、本実施形態においては、カラーフィルタの濃度を２倍にすることにより、分光透過率曲線Ｒ2 ，Ｇ2 ，Ｂ2 が相互に重なる領域における透過率の最大値を３０％以下にすることができる。
【００６７】
棒状ランプ１１に、例えば、図２４に示す分光強度特性を有するものを用いて、例えば、図２５に示す分光感度特性を有する感光フィルム４に露光した場合、Ｒの濃度は０．４６であり、Ｇの濃度は０．３７であり、Ｂの濃度は０．３２であった。また、さらにＬＣＤ３のカラーフィルタに、例えば、図５に示す分光透過率特性を有するものを用いて、ＬＣＤ３にグレーを表示させて、感光フィルム４を露光した場合、感光フィルム４に形成されたグレーのＲの濃度は０．９１であり、Ｇの濃度は０．５８であり、Ｂの濃度は０．３９であった。このようにして得られたグレーは、３原色（Ｒ、Ｇ、Ｂ）のバランスが崩れており、青味が非常に強いグレーであった。この場合、Ｂのカラーフィルタの透過率を一番大きく下げ、次に、Ｇのカラーフィルタの透過率を下げることにより、Ｒ、ＧおよびＢの混色を下げるとともに、グレーの色味を調整することが好ましい。
【００６８】
また、図４に示すように、ＬＣＤ３の構造は、後述する感光フィルム４の側の偏光フィルム３１およびガラス基板３２の合計厚さを除いて、画像表示が可能であれば、従来公知の液晶表示モードを持ち、従来公知の駆動方式のＬＣＤを用いることができる。例えば液晶表示モードとしては、ＴＮモード、ＳＴＮモード、ＣＳＨモード、ＦＬＣおよびＯＣＢモードなどの偏光板を用いる液晶表示モードを挙げることができる。駆動方式としては、ＴＦＴ型およびダイオード型などのアクティブマトリックス駆動方式の他、ＸＹのストライプ電極からなるダイレクトマトリックス駆動方式等を挙げることもできる。
【００６９】
また、ＬＣＤ３のサイズは、特に限定されるものではなく、どのようなサイズでも良く、感光フィルムのサイズに合わせて適宜選択すれば良い。また、ＬＣＤ３のＲＧＢ各画素のドットサイズも、特に限定されるものではないが、より鮮明な高画質の写真画像を得るためには、各画素の少なくとも短辺側の大きさは、０．２ｍｍ以下であることが好ましい。これは、各画素の少なくとも短辺側の大きさが０．２ｍｍ以下では、より鮮明な転写画像を得ることができるからである。
【００７０】
なお、ＬＣＤ３の画素数または画素密度も、特に限定されるものではないが、高精細・高鮮明度の高画質画像を転写して得るためには、近年市販されているＲＧＢ各画素のドットサイズが小さい高精細画面を持つＬＣＤを用いることが好ましい。このようなＬＣＤとしては、例えば、ＵＸＧＡ（１０．４インチ、１２００×１６００画素）またはＸＧＡ（６．３および４インチ、１０２４×７６８画素）などのＴＦＴ型ＬＣＤを挙げることができる。
【００７１】
本実施形態に用いられるＬＣＤ３においては、少なくとも、感光フィルム４側の基板３２と偏光フィルム３１とを合わせた合計厚さｔは、できるだけ薄いことが良く、１．０ｍｍ以下が好ましい。さらに好ましくは０．８ｍｍ以下、さらにより好ましくは０．６ｍｍ以下とすることが良い。
【００７２】
なお、より一層好ましくは、バックライトユニット１（多孔板２）側の基板３６と偏光フィルム３７とを合わせた合計厚さは、薄い方が良く、１．０ｍｍ以下が好ましい。さらに好ましくは０．８ｍｍ以下であり、さらにより好ましくは０．６ｍｍ以下とすることが良い。また、合計厚さの下限値も、特に限定されるものではないが、例えばガラス基板３２では、それ自体の厚さを薄くするのは０．５ｍｍ程度が限界と考えられることから、０．５ｍｍ以上としても良い。なお、この合計厚さは、これらに限定されることはなく、上記条件を実現するための構成として、ガラス基板の代りに、樹脂基板の使用を考慮することも有効であり、これにより０．５ｍｍ程度の合計厚さの下限値をさらに小さくすることができる。
【００７３】
以下、本実施形態において、感光フィルム４側の基板３２と偏光フィルム３１とを合わせた合計厚さｔを１．０ｍｍ以下とする理由について説明する。
【００７４】
この合計厚さの条件は、バックライトユニット１からＬＣＤ３までの区間での光の拡散を抑えることに相当する。ＬＣＤ３と感光フィルム４とを、厳密には、ＬＣＤ３の画像表示面３ａと感光フィルム４の感光面４ａとを非接触状態にしても、より鮮明な転写画像を得られるという結果に通じるものである。
【００７５】
すなわち、本態様に係る転写装置においては、ＬＣＤ３の画像表示面３ａと感光フィルム４の感光面４ａとを、所定の間隔だけ離間させて、非接触状態にしている。この非接触状態にするという条件は、簡単な構成で、実用性を上げ、実際に取り扱い易い転写装置とするためには必要な条件である。しかし、ＬＣＤ３の画像表示面３ａと感光フィルム４の感光面４ａとの間での光の拡散を助長し、鮮明な転写画像を得るという点からはむしろマイナス要因である。
【００７６】
このため、本発明においては、後述するように、上記非接触状態によるマイナス分（光の拡散の増大分）を、ＬＣＤ３のカラーフィルタの分光特性を調整し、ＬＣＤから射出される光の分光特性を制御することによってＬＣＤ３から射出される光の色純度を上げることにより補い、更に画質を向上させる。さらに、上述の合計厚さの条件、および多孔板２の厚さの貫通孔２１の直径または相当直径との比を３倍以上とすることによるプラス分（光の拡散の抑制分）でカバーする。
【００７７】
ところで、上述したように、図２２（ａ）および（ｂ）に示す特許文献２に開示された従来の印写装置においては、厚さが約２．８ｍｍのＬＣＤ３００が用いられている。図２２（ｂ）に示すように、ＬＣＤ３００は、２枚の偏光板３０１、３０５、２枚の基板３０２、３０４およびこれらに挟まれる液晶層３０３から構成されている。特許文献２には開示されていないが、一般に、液晶層そのものの厚さは０．００５ｍｍ程度（カラーＴＦＴ液晶ディスプレイ：ｐ２０７、共立出版発行参照）とされているため、片側の基板３０１（３０５）と偏光板３０２（３０４）とを合わせた厚さは、１．３ｍｍ〜１．４ｍｍ程度と考えられる。
【００７８】
ここで、光の拡散度合いは距離に比例するため、上述の厚さ１．３ｍｍ〜１．４ｍｍが１／２になれば、拡散度合いも１／２になり、従来技術の項で述べた「片側について、約０．０９ｍｍ拡大される」という値もその１／２、つまり０．０４ｍｍ〜０．０５ｍｍ程度に減少すると推察される。しかしながら、この程度の拡散度合いでは、従来技術の項で述べたように、最新のＵＸＧＡまたはＸＧＡなどのような微細なドットサイズを有するＬＣＤにおいて、隣接するドットの重なり合いが生じる。
【００７９】
すなわち、拡散度合いを０．０４ｍｍ〜０．０５ｍｍ程度に減少させただけでは、ドットの重なり合いが生じ、これに起因する色の滲みが発生して、不鮮明な画像しか得ることができない。しかし、本願発明者らは特開２００２−１９６４２６号公報に記載したように、ＬＣＤ３の片側の少なくとも感光フィルム４側の基板３２と偏光フィルム３１とを合わせた厚みを１．０ｍｍ以下とすることにより、ＵＸＧＡまたはＸＧＡなどのような微細なドットサイズを有するＬＣＤにおいても、ドットの重なり合いに起因する色の滲みが解消して、鮮明な転写画像が得られることを知見している。さらに、上述したように、カラーフィルタの分光特性を調整することにより、混色を防止する。このため、露光焼付に必要な色の光の成分だけを感光フィルム４に入射させることができる。これらのことから、ＬＣＤ３と感光フィルム４との間隔が等しいものに比べて、ＵＸＧＡまたはＸＧＡなどのような微細なドットサイズを有するＬＣＤ３においても、色の滲みがさらに一層解消されて鮮明な転写画像が得られる。
【００８０】
本実施形態においては、フィルムケース５１は、その内部に複数枚の感光フィルム４が収納され、感光フィルム４の感光面４ａが、所定の間隙（好ましくは０．０１ｍｍ〜３ｍｍ）を隔てて、ＬＣＤ３の画像表示面３ａに対向して配置されるように構成されている。本実施形態においては、フィルムケース５１は、本体ケース６内に取り付けられ、１セット（パック）の複数枚の感光フィルム４を装填するものであっても、取り付け取り外し自在なフィルムケース５１に複数枚の感光フィルム４を収納しているフィルムパック５をそのまま本体ケース６に装填するものであっても良い。しかし、フィルムケース５１ごとフィルムパック５、すなわち、複数枚の感光フィルム４を収納しているフィルムケース５１自体を装填できるように構成しておくことが好ましい。
【００８１】
感光フィルム４は、本発明の感光性記録媒体として用いられるものである。本発明の感光性記録媒体としては、ＬＣＤ３の透過表示画像の露光焼付により、可視ポジ画像を形成できるものであればどのようなものでも良く、特に限定されるものではないが、例えば、いわゆるインスタント写真フィルムが好ましい。このような感光性記録媒体として用いられる感光フィルム４としては、モノシートタイプのインスタント写真用フィルム「インスタックスミニ」または「インスタックス」（共に富士写真フイルム（株）製）を挙げることができる。このようなインスタント写真フィルムは、フィルムケースに所定数のフィルムをしたいわゆるフィルムパックとして市販されている。
【００８２】
従って、本発明においては、感光フィルム４の感光面４ａとＬＣＤ３の画像表示面３ａとの間隙が、後述する条件を満足するように配置できれば、図１に示すように、フィルムパック５をそのまま本体ケース６に装填することもできる。
【００８３】
また、本実施形態においては、フィルムパック５を使用する場合には、例えば、感光フィルム４の画像形成領域よりもフィルムケース５１の開口部５４の開口領域を大きくする。もちろん、ＬＣＤ３の外形で規定される領域はＬＣＤ３の画像表示領域よりも大きい。本実施形態においては、ＬＣＤの画像表示領域は感光フィルム４の画像形成領域と同じであることが好ましい。この場合、各部のサイズの大小関係は、感光フィルム４の画像形成領域よりもフィルムケース５１の開口部５４の開口領域の方が大きい。通常、ＬＣＤ３の外形で規定される領域がフィルムケース５１の開口部５４の開口領域よりも大きい。しかし、フィルムケース５１の開口部５４の開口領域がＬＣＤ３の外形で規定される領域よりも大きいことが非常に好ましい。
【００８４】
図６は本実施形態の転写装置に使用されるフィルムパック５の一例の構造を示す斜視図である。図６に示すような構造を有するフィルムパック５には、そのフィルムケース５１の一端部に感光フィルム４を、フィルムパック５（のフィルムケース５１）から取り出すためのクロー部材（爪）が進入可能な切り欠き５２が設けられている。露光の終了した感光フィルム４は、上記クロー部材によりフィルムパック５のフィルムケース５１の取出口５３から取り出され、搬送機構（図示せず）により、処理工程に送られる。
【００８５】
なお、本実施形態における処理工程とは、上記感光フィルム４の一端に予め設けられている処理液（現像液）チューブ（図示せず）を押し破って、現像液を感光フィルム４内全面に均一に行きわたらせることであり、感光フィルム４のフィルムパック５からの取り出し・搬送と実質的に同時に行われるものである。処理工程を経た感光フィルム４は、本体ケース６の取出口６２（図１参照）から装置外部に送り出される。
【００８６】
周知のように、この種のインスタント写真用フィルムは、上述の処理工程を経た後、数十秒ほどで完全な画像を形成し、観賞に供することが可能になる。従って、本発明の転写装置では、上述の処理工程を施すまでが、必要とされる機能となる。１枚の感光フィルム（フィルムシート）が送り出された後には、次の感光フィルムが現われ、次の露光（転写）が可能な準備状態が実現される。
【００８７】
なお、上述した、このフィルムパックの取り扱い方法については、先に本出願人の出願に係る特開平４−１９４８３２号公報に開示されたインスタント写真用フィルムを用いるインスタントカメラを参照することができる。
【００８８】
ところで、本態様の転写装置においては、前述したように、実際に取り扱い易い装置とするために必要な条件から、ＬＣＤ３と感光フィルム４とを非接触状態で、厳密には、ＬＣＤ３の画像表示面３ａと感光フィルム４の感光面４ａとを非接触状態で、所定の間隔だけ離間させるようにしている。本態様に係る転写装置においては、図２に示すように、ＬＣＤ３の画像表示面３ａと感光フィルム４の感光面４ａとの間の離間間隔は、０．０１ｍｍ〜３ｍｍであることが好ましく、より好ましくは０．１ｍｍ〜３ｍｍであることが良い。
【００８９】
ＬＣＤ３と感光フィルム４とを離間させることは、上述したように、鮮明な転写画像を得るという点からはむしろマイナス要因ではあるが、感光フィルム４の搬送を容易にし、実際に取り扱い易い装置とするためには必要な条件である。これによるマイナス分は、ＬＣＤ３の感光フィルム４側の基板３２と偏光フィルム３１とを合わせた合計厚さｔを規制することによって、ＬＣＤ表面３ａから射出される光の拡散を抑制するというプラス要因でカバーできるからである。さらに、多孔板２の貫通孔２１の直径または相当直径に対する比を３倍以上とすることによる光拡散の抑制というプラスの要因でもカバーできる。
【００９０】
本実施形態の転写装置においては、ＬＣＤ３に表示された画像のサイズは、感光フィルム４に転写される画像のサイズと実質的に同一とすることが好ましい。これは、本実施形態においては、レンズ系を用いた拡大または縮小を行うことなく、直接転写方式とすることで、装置の小型化および軽量化などを実現することができるからである。
【００９１】
本体ケース６は、上述の本実施形態の各構成要素、すなわちバックライトユニット１、多孔板２、ＬＣＤ３、フィルムパック５（またはフィルムケース５１）および露光済みフィルムの送り出し兼処理液展開ローラ対６１等を内部に収納するケースである。本体ケース６においては、露光済みフィルムの送り出し兼処理液展開ローラ対６１は、装填されたフィルムパック５（またはフィルムケース５１）の露光済フィルムの取出口５３に臨む位置に取り付けられている。また、本体ケース６には、このローラ対６１を臨む位置に、露光済みの感光フィルム４の本体ケース６からの取出口６２が開口されている。また、本体ケース６には、露光済みフィルムパック５の裏側の開口から挿入されて、感光フィルム４をフィルムケース５１の前縁に、すなわち、ＬＣＤ３側に付勢するためのバックアップ用押圧ピン６３が設けられている。
【００９２】
なお、図示はしていないが、本実施形態の転写装置はローラ対６１を駆動するための駆動源（モータ）、またはこれを駆動したりバックライトユニット１の棒状光源１１を点灯するための電源、これらを制御するための電装品、ＬＣＤ３に画像を表示させるためにデジタル画像データ供給部からデジタル画像データを受信しＬＣＤ表示用画像データに変換するデータ処理装置、および制御装置などを有しているのはもちろんである。本実施形態に係る転写装置は、基本的に以上のように構成される。
【００９３】
本実施形態においては、ＬＣＤ３にデジタル画像データ供給部から供給された画像を表示する。次いで棒状ランプ１１を点灯して多孔板２を経て略平行光をＬＣＤ３の画像表示面３ａに垂直に入射させる。そして、ＬＣＤ３に表示された画像が感光フィルム４に露光焼付けされる。これにより、感光フィルム４に転写画像が形成される。
【００９４】
本実施形態の転写装置においては、ＬＣＤ３の各色のカラーフィルタの分光透過率特性を調整し、各色のカラーフィルタの分光透過率曲線が重なる領域における透過率の最大値を所定値よりも小さくしている。これにより、ＬＣＤ３から射出される３原色の混色を低下させることができ、３原色の色純度が高くなり、色再現性が優れる。従って、高品位な画質を有する仕上がりプリントを得ることができる。
【００９５】
次に、本発明の第１態様の第２実施形態について説明する。本実施形態は、第１実施形態と比較して、カラーフィルタの構成が異なり、それ以外の構成は、第１実施形態と同様であるので、その詳細な説明は省略する。なお、本実施形態においては、転写装置の図示は省略する。本実施形態におけるカラーフィルタは、分光透過率曲線における重なる領域を小さくする方法として、第１実施形態に示すように、カラーフィルタの濃度を高くするのではなく、カラーフィルタが相互に重なる波長域の光を吸収する物質を添加したものである。
【００９６】
本実施形態において、相互に重なる波長域の光を吸収する物質を添加する方法としては、例えば、ＲおよびＧのカラーフィルタには、イエローのカラーフィルタとなる物質を添加し、Ｂのカラーフィルタには、バイオレットのカラーフィルタとなる物質を添加することが考えられる。このようにして所定の物質を添加することにより、透過させる波長域以外の波長域の光を、拡散させるか、または吸収するなどして、重なる領域の波長の光の透過率の最大値を所定値よりも小さくする。
【００９７】
このように、分光透過率曲線の重なる部分における透過率を所定値よりも小さくすることにより、この領域における透過率の最大値を所定値よりも小さくすることができ、混色を少なくすることができる。
【００９８】
図７は、縦軸に透過率をとり、横軸に波長をとって、Ｂのカラーフィルタ分光透過特性、およびこのＢのカラーフィルタに添加されるカラーフィルタの分光透過特性を示すグラフである。なお、図７に示すＢのカラーフィルタの分光透過率曲線Ｂ1 は、図５に示す分光透過率曲線Ｂ1 と同じである。
【００９９】
例えば、図７に示すように、Ｂのカラーフィルタに、分光透過率曲線Ｐで示される分光透過特性を有するカラーフィルタの成分を添加することにより、波長が５００〜５５０ｎｍの領域における透過率が低下する。分光透過率曲線Ｐにおいては、波長が５３０ｎｍ以下で透過率が高いが、透過率は上記成分の添加割合が掛け算になるため、Ｂのカラーフィルタにおける緑（Ｇ）以上での透過光量の絶対量は小さくなる。
【０１００】
図５に示すように、Ｂのカラーフィルタにおいて、波長が５００〜５５０ｎｍの領域は、Ｇのカラーフィルタと重なる領域である。このため、Ｂのカラーフィルタにおいて、波長が５００〜５５０ｎｍの波長域の透過率の最大値を所定値よりも小さくすることにより、ＢおよびＧのカラーフィルタの分光透過率曲線の重なる領域が小さくなるとともに、この領域における透過率の最大値が小さくなる。これにより、ＬＣＤから発光する各色の混色を減らすことができ、色純度が向上する。このような調整をＧのカラーフィルタ、およびＲのカラーフィルタについても行えばよい。
【０１０１】
本実施形態の転写装置においても、第１実施形態と同様に、ＬＣＤ３の各色のカラーフィルタの分光透過率特性を調整し、各色のカラーフィルタの分光透過率曲線が重なる領域における透過率の最大値を所定値よりも小さくしている。このため、ＬＣＤ３から射出される３原色の混色を低下させることができ、３原色の色純度を高くし、色再現性を向上させることができる。従って、高品位な画質を有する仕上がりプリントを得ることができる。
【０１０２】
なお、上述の第１および第２の実施形態において、転写装置の構成は、特に限定されるものではない。例えば、以下に説明する構成の転写装置とすることもできる。
【０１０３】
図８は本発明の第１実施形態に係る転写装置の第１の変形例を示す模式的断面図、図９は図８の転写装置の要部を示す模式的断面図である。なお、本変形例においては、図１乃至６に示す第１実施形態と同一構成物には同一符号を付してその詳細な説明は省略する。
【０１０４】
本変形例は、第１実施形態と比較して、多孔板２０が画像表示領域全面に設けられておらず、貫通孔２２が１列形成された多孔板２０であり、多孔板２０を貫通孔２２の配列方向と直交する方向Ａに移動させる移動手段が設けられている点が異なり、それ以外の構成は第１実施形態と同様であるので、その詳細な説明は省略する。
【０１０５】
本変形例において、多孔板２０は、移動手段８によって、バックライトユニット１の射出面の上側をＬＣＤ３の一辺に沿って移動させることができる。この多孔板２０の移動方向前後には、多孔板２０の貫通孔２２以外からの光を遮光するための遮光マスク（フィルム）７ａおよび７ｂが配置されている。また、図８および図９においては、多孔板２０とバックライトユニット１とは接触しているが、本変形例では、必ずしも接触している必要はない。なお、本変形例においても、第１および第２の実施形態のカラーフィルタを用いることは言うまでもない。
【０１０６】
図１０（ａ）は、本発明の第１態様の第１実施形態に係る転写装置の第１の変形例に使用される多孔板を示す斜視図、（ｂ）は、本発明の第１態様の第１実施形態に係る転写装置の第１の変形例に使用される多孔板の他例を示す模式的断面図である。本変形例に用いられる多孔板２０は、バックライトユニット１とＬＣＤ３との間に配置されてバックライトユニット１からの光を実質的に線状の平行光にし、ＬＣＤ３に入射する光をなるべく平行にし、ＬＣＤ３に垂直に入射させるための線状光化手段である。図１０（ａ）に示すように、所定厚さの矩形板に所定のサイズの貫通孔２２を１列所定ピッチで多数設けたものである。なお、貫通孔２２は複数列設けてもよい。
【０１０７】
図１０（ｂ）に示す多孔板２０ａは、１列に配置された貫通孔２２の上に連続する凹み２２ａを設けて、この凹み２２ａにロッドレンズ２３をセットしたものである。この多孔板２０ａにおいては、ロッドレンズ２３の役目により、多孔板２０ａの貫通孔２２から出射する光を、より平行光化することができる。
【０１０８】
さらに、本発明においては、多孔板の代りに、帯状のスリット光を得ることができるスリットを持つスリット板を用いることもできる。しかし、スリットは、その長手方向の光の散乱を多孔板ほど低減できないので、スリット板よりも図１０（ａ）に示す多孔板２０および図１０（ｂ）に示す多孔板２０ａの方が好ましい。しかし、光源からの光の拡散成分が少ない場合、または鮮明度に対する要求が高くない場合には、スリット板を用いても良い。
【０１０９】
なお、本発明において、線状光化手段とは、光源からの光を線状の実質的な平行光として透過型画像表示装置に直角に入射させる機能を有するものであり、この線状光化手段の移動方向（透過型ＬＣＤ画面の走査方向）に直交する方向（長手方向）に所定長さを有する線状光を射出するものである。ここで、この線状光化手段としては、上述の機能を有するものであれば、どのようなものでも良いが、製作が容易な点も考慮して、図１０（ａ）に示すように長手方向に沿って少なくとも１列に配列された多数の貫通孔２２を有し、所定厚さを持ち幅が狭く細長い（狭幅細長の）、いわゆる「柱状の多孔板」とすることが好ましい。
【０１１０】
また、本変形例においては、多孔板２０とＬＣＤ３との間隔を、好ましくは、０．０５ｍｍ〜１０ｍｍとし、より好ましくは０．１ｍｍ〜５ｍｍとすることが良いが、任意の寸法に調整可能に構成されていることが好ましい。これは、柱状の多孔板２０に代表される線状光化手段の貫通孔２２のパターンが拡散光による「影」の形で現われるのを防止するためのものである。なお、本変形例において設定している上記間隔は、上述の「影」は防止できるが、転写画像の鮮明度は低下させない条件である。
【０１１１】
また、多孔板２０の材質としては、第１実施形態と同じものを使用することができる。さらに、多孔板２０に設ける貫通孔２２の形状も、第１実施形態と同じものにすることができる。
【０１１２】
図１１（ａ）乃至（ｄ）は、本発明の第１態様の第１実施形態に係る転写装置の第１の変形例に使用される多孔板の貫通孔の配置を示す正面図であって、（ａ）は貫通孔が３列形成されているものであり、（ｂ）は貫通孔が１列形成されているものであり、（ｃ）は貫通孔が４列形成されているものであり、（ｄ）は貫通孔が２列形成されているものである。また、複数の貫通孔２２を２列以上に配列するときの貫通孔の列の数および配列形状は、特に限定されるものではない。例えば、配列形状は、碁盤目状、千鳥状（最密状）であることが好ましく、より好ましくは千鳥状が良い。また、配列数は、例えば、１列乃至数列であってもよいが、複数列のうち、特に千鳥状に配列する場合には、偶数列が良い。この理由は、図１１（ａ）に示すように、３列、すなわち奇数列配列の貫通孔２２を持つ多孔板２０の場合、α行およびγ行では第１および３列の２個の貫通孔２２からの光がＬＣＤ３を照明するので明るい。しかし、β行およびδ行では第２列の１個の貫通孔２２からの光しかＬＣＤ３を照明しないので暗い。このため、β行およびδ行では暗いスジができる。
【０１１３】
また、多孔板２０に設ける複数の貫通孔２２の配列ピッチｐ（図１０（ａ）参照）は、貫通孔２２が均一に配置され、ＬＣＤ３の表示画像を鮮明に感光フィルム４に転写できれば、どのようなピッチでも良く、貫通孔２２のサイズなどに応じて適宜設定すれば良い。例えば、配列ピッチｐは、なるべく細かい方が良い。
【０１１４】
なお、本変形例においては、貫通孔２２と貫通孔２２との間隔ｄは、特に限定されるものではないが、配列ピッチｐおよび貫通孔２２のサイズより重要である。その理由は、この貫通孔２２間の間隔ｄを大きくすると、上述の貫通孔２２のパターンが拡散光による「影」を消すために、多孔板２０とＬＣＤ３との間の距離を離す必要が出てくるからである。従って、この貫通孔２２間の間隔ｄは、例えば、長手方向（配列方向）における間隔ｙに換算して、１ｍｍ以下とすることが好ましく、より好ましくは０．５ｍｍ以下で、さらに好ましくは、０．２ｍｍ以下であることが良い。なお、貫通孔２２間の間隔ｄの下限値は、特に限定されるものではない。しかし、製作上の容易性を考慮すると、間隔ｄの下限値は、０．０５ｍｍ程度以上であることが好ましい。
【０１１５】
なお、長手方向における間隔に換算した貫通孔２２間の間隔ｄとは、図１１（ｂ）に示すように多孔板２０における貫通孔２２の配列が１列である場合、または図１１（ｃ）に示すように複数列（図示例では４列）でも最密状である場合には、最も近接する貫通孔２２間の間隔ｄのことであり、図１１（ｄ）に示すように複数列（図示例では２列）でも千鳥状である場合には、長手方向に直交する方向から投影した時に最も近接する貫通孔２２間の長手方向の間隔ｙのことである。なお、図１１（ｄ）に示すような千鳥状である場合の長手方向と直交する方向の間隔ｘは、上記間隔ｙよりも自由度が大きく、例えば、２ｍｍ以下が好ましく、より好ましくは１ｍｍ以下、さらに好ましくは０．５ｍｍ以下であることが良い。このように、本変形例の転写装置に用いられる多孔板２０においては、上記間隔ｘおよびｙを同じ位にする必要がなく、例えば、ｙ＝０．２ｍｍであっても、ｘ＝０．５ｍｍまたは１ｍｍとしても良いので、製作上の制限が緩和され、製作が容易となるという重要な特徴を有する。
【０１１６】
この多孔板２０の厚さｔ1 （図１０（ａ）参照）は、前述した第１実施形態と同様、貫通孔２２の直径または相当直径の３倍以上であることが好ましい、より好ましくは５倍以上、さらにより好ましくは７倍以上であることが好ましい。
【０１１７】
また、多孔板２０の全表面のうち、少なくとも貫通孔２２の内面を低反射率面で構成することが好ましく、より好ましくは、多孔板２０の全表面を低反射率面で構成することが良い。ここで、低反射率面とは、例えば、黒色化された面または粗面化された面等のように、入射する光の反射率を低下させている面のことをいう。黒色化面を形成する方法としては、特に限定されるものではないが、例えば、多孔板２０を構成する素材自体が黒色のものを用いる方法、または表面を黒色化処理する方法が挙げられる。なお、黒色素材としては、例えば、カーボンブラック粉末を１％以上（好ましくは３％以上）含有する材料またはカーボン粉末を固めた材料などが挙げられる。黒色化処理の例としては、例えば、塗装または化学的処理（メッキ、酸化または電解など）が挙げられる。一方、粗面化処理に関しても、特に限定されるものではないが、例えば、穴を加工する際に同時に粗面化する方法、サンドブラストなどの機械的処理方法またはエッチングなどの化学的処理による方法等の後加工により粗面化する方法などを任意に用いることが可能である。この場合、粗面化の程度としては、例えば、中心線平均粗さで１μｍ〜２０μｍ程度が有効な範囲である。
【０１１８】
なお、本変形例においては、多孔板２０の少なくとも貫通孔２２の内面の反射率は、より好ましくは、多孔板２０の全表面を構成する低反射率面の反射率は、２％以下が好ましく、より好ましくは１％以下が良い。これは、反射率が２％以下であれば、バックライトユニット１から入射した、平行光以外の散乱光を効率良く吸収でき、バックライトユニット１から略平行光（平行光を含む）のみを効率良く射出させて、ＬＣＤ３に入射させることができるからである。なお、反射率は、例えば、（株）島津製作所製ＭＰＣ３１００型分光反射率測定機を用い、波長５５０ｎｍで測定することができる。
【０１１９】
上述したように、多孔板２０は、光源であるバックライトユニット１と、ＬＣＤ３との間に位置し、図８および図９中の左右方向（バックライトユニット１の長手方向）に沿って、その移動方向前後に配置される遮光マスク７ａおよび７ｂと共に移動可能に構成されている。この多孔板２０の移動は、面状光源であるバックライトユニット１からの光を、多孔板２０の貫通孔２２以外からの光を遮光すると共に、線状に区切って線状光として順次ＬＣＤ３に送るために行われるものである。
【０１２０】
なお、この多孔板２０を移動させるための移動手段８は、図中バックライトユニット１の右端側に配置されるモータ８ａと、モータ８ａに取り付けれるプーリ８ｃと、図中バックライトユニット１の左端側に配置されるプーリ８ｃと、これらのプーリ８ｃ、８ｃに張架される、多孔板２０の長手方向の端部が取り付けられる無端ベルト８ｂとを有する。なお、この移動手段８としては、無端ベルト８ｂおよびこれを張架するプーリ８ｃ、８ｃからなるセットを、多孔板２０の長手方向の両端側にそれぞれ取り付け、両無端ベルト８ｂ（一端側のみ図示）を同期させて連続駆動することが好ましい。
【０１２１】
また、移動手段８による多孔板２０の移動速度は、光源であるバックライトユニット１の明るさ、多孔板２０の貫通孔２２の大きさ（直径または相当直径）またはピッチなどにより異なるが、毎秒数ｍｍ〜数百ｍｍ程度にすることが好ましい。
【０１２２】
なお、本変形例に用いられる移動手段８は、上述のように多孔板２０の長手方向の端部を無端ベルト８ｂに取り付け、この無端ベルト８ｂを駆動するという方式のみに限定されるものではなく、トラベリングナットに多孔板２０を固定し、トラベリングナットと螺合するドライブスクリュを駆動する方式、またはワイヤの一端に多孔板２０を固定し、ワイヤを巻き取る方式など、従来公知の移動方法であれば、どのような方法を用いても良い。
【０１２３】
本変形例の転写装置においても、本発明に係るカラーフィルタを用いることにより、ＬＣＤ３から射出される３原色の混色を低下させることができ、３原色の色純度が高く、色再現性が優れる。このため、高品位な画質を有する仕上がりプリントを得ることができる。
【０１２４】
なお、本変形例の転写装置においても、上述したように、実際に取り扱い易い装置とするために必要な条件から、ＬＣＤ３と感光フィルム４とを非接触状態で、厳密には、ＬＣＤ３の画像表示面３ａと感光フィルム４の感光面４ａとを非接触状態で、所定の間隔だけ離間させる。本変形例では、鮮明な転写画像を得るという点おいて、これによって生じる光拡散の増大というマイナス要因を、多孔板２０の貫通孔２２の直径または相当直径に対する比を３倍以上とすることによる光拡散の抑制、加えて、ＬＣＤ３の感光フィルム４側の基板３２と偏光フィルム３１とを合わせた合計厚さｔを規制することによる光拡散の抑制というプラス要因でカバーすることができる。これにより、ＬＣＤ３と感光フィルム４とを所定の間隔だけ離間させても、鮮明な転写画像を得ることができる。
【０１２５】
次に、本発明の第１態様の第１実施形態に係る転写装置の第２の変形例について説明する。図１２は、本発明の第１態様の第１実施形態に係る転写装置の第２の変形例を示す模式的断面図である。なお、本変形例においては、図８乃至図１１に示す第１実施形態に係る転写装置の第１の変形例と同一構成物には、同一符号を付してその詳細な説明は省略する。
【０１２６】
本変形例は、第１の変形例と比較して、光源および移動手段が異なり、それ以外の構成は第１の変形例と同様である。すなわち、第１の変形例に係る転写装置は、面状光源であるバックライトユニット１を用い、線状光化手段である多孔板２０を用いて線状略平行光を生成するものであった。しかし、本変形例は、図１２に示すように、線状光源１１ａである棒状ランプとして、例えば、直管冷陰極管を用いる。なお、本変形例においても、第１および第２の実施形態のカラーフィルタを用いることは言うまでもない。
【０１２７】
図１２に示す本変形例の転写装置は、線状光源１１ａと多孔板２０とが結合され、線状略平行光生成ユニット１ａとして一体化されており、遮光マスク７ａおよび７ｂが備えられていない点が、第１の変形例の転写装置と異なり、それ以外は同じ構成である。
【０１２８】
図１２に示す転写装置において、線状略平行光生成ユニット１ａは、棒状ランプ（例えば、直管冷陰極管）からなる線状光源１１ａと、線状光化手段としての柱状の多孔板２０とを結合して一体化されたユニットとしたもので、線状光源１１ａからの光を線状の実質的な平行光として透過型のＬＣＤ３に直角に入射させる機能を有するものであり、この線状略平行光生成ユニット１ａと透過型ＬＣＤ３との相対的な移動方向（透過型ＬＣＤ３の画像表示面３ａの走査方向）に直交する方向（長手方向）に幅を有する線状光を射出するものである。
【０１２９】
本変形例においては、固定されている透過型のＬＣＤ３に対して、線状略平行光生成ユニット１ａ側が移動するものである。なお、本変形例においては、これに限定されるものではなく、固定されている線状略平行光生成ユニット１ａに対して、感光フィルム４と一体化されたＬＣＤ３側が移動するものとしてもよい。この場合、感光フィルム４の２枚分のスペースが必要となるので、装置構成をコンパクトにできる線状略平行光生成ユニット１ａ側が移動する方が好ましい。
【０１３０】
線状略平行光生成ユニット１ａに用いられる線状光源１１ａは、冷陰極線管等の棒状ランプと、拡散フィルムまたはリフレクタ等の反射板などを有し、棒状ランプからの光を拡散フィルムまたは反射板などを用いて均一に拡散させるようにしたものであるが、本変形例はこれに限定されず、帯状の光が得られれば、どのようなものでも良く、例えば、棒状の光源、細長い有機ＥＬパネルまたは無機ＥＬパネル等を組み合せて所定長の光源等とスリット板とを用いて帯状のスリット光とするものであっても良い。また、ＬＥＤ等を列状に配置して列状の点状光を得るものであっても良い。後者の場合には、ＬＥＤと多孔板２０の貫通孔２２との位置を合わせることが好ましい。
【０１３１】
なお、本変形例において、線状略平行光生成ユニット１ａに用いられる線状光化手段は、図１０（ａ）および（ｂ）に示す多孔板２０および２０ａを用いることができるのはもちろん、図８に示す第２の変形例の転写装置に適用できるものは、全て適用可能である。
【０１３２】
また、本変形例においては、図１２に示すように、線状光源１と多孔板２０とを一体化した線状略平行光生成ユニット１ａ自体を移動手段８の無端ベルト８ｂに取り付けるものであり、線状光化手段（多孔板２０）を移動手段８の無端ベルト８ｂに取り付ける図８に示す第２の変形例の場合とは異なるが、移動手段８の機能および作用ならびに移動手段８による線状光化手段（多孔板）の機能および作用は同様であるのはいうまでもない。
【０１３３】
図１２に示す本変形例の転写装置では、図８に示す第１の変形例の転写装置と同様に、移動手段８による線状略平行光生成ユニット１ａの移動により、線状略平行光生成ユニット１ａからの線状の光を順次ＬＣＤ３に照射して、ＬＣＤ３上に表示されている画像を走査露光により照明する。この場合でも、混色が少ない、高品位な仕上がりプリントを得ることができる。なお、図１２に示す本変形例の転写装置では、図８に示す第１の変形例に係る転写装置に比べ、光源のサイズを小さくできるので、装置構成をさらに小型化できる。
【０１３４】
図１３は、本発明の第１態様の第１実施形態に係る転写装置の第３の変形例を示す模式図である。なお、図１３においては、線状略平行光生成ユニット１ａ、感光フィルム４およびＬＣＤ３のみ示し、他の構成については図示していない。本変形例においては、線状略平行光生成ユニット１ａが移動する方向Ａと貫通孔２２の軸方向とが平行になるように、線状略平行光生成ユニット１ａが配置されている。多孔板２０の出射側の端面にミラー２４が、多孔板２０からの出射光をＬＣＤ３に入射させるように、方向Ａに対して４５°の角度で配置されている。本変形例の構成とすれば、第２の変形例と同様の効果を得ることができるとともに、第２の変形例のものよりもさらに小型化することができる。なお、本変形例においても、第１および第２の実施形態のカラーフィルタを用いるものとする。
【０１３５】
上述のいずれの実施形態および第１乃至第３の変形例においても、略平行光生成素子として多孔板を使用したが、これに限定されるものではなく、例えばセルフォックレンズなどを使用しても良い。
【０１３６】
次に、本発明の第２の態様の転写装置について説明する。
本態様の転写装置は、基本的に、第１の態様の転写装置と同様の構成のものであり、カラー画像表示装置のＲ、Ｇ、Ｂの各単色の色純度を向上させ、カラー画像表示装置から感光フィルムに転写した画像において、混色が生じないようにして、色の再現性を向上させるものである。そのために、本態様の実施形態では、ＬＣＤ３の光源の棒状ランプ１１のＲ、Ｇ、Ｂそれぞれの発光スペクトルが混じり合わないようにしたものである。
【０１３７】
ここで、Ｒ、Ｇ、Ｂそれぞれの発光スペクトルが混じり合わないというのは、例えば、図２７にその分光感度分布を示すような、感光フィルム４（例えば、富士写真フイルム社製インスタントフィルム「チェキ」）の混色領域（例えばＲ／Ｇ；５７０〜６００ｎｍ、Ｇ／Ｂ；４８０〜５１０ｎｍ）の付近における発光を少なくすることである。すなわち、この混色領域に所定以上の大きさの発光のピークを有するような光源では、この混色領域における発光のピークが混色を発生させてしまう。結局、少なくとも混色領域にはその両方の発色層（Ｒ及びＧ、あるいはＧ及びＢ）を発色させてしまうような大きさの発光ピークを有さないようにすることが必要である。
【０１３８】
そこで、本実施形態においては、棒状ランプ１１の蛍光物質を変えて、図１４に示すようなスペクトル波形を有するような光源とした。図１４に示すように、本実施形態で用いる光源では、Ｒ、Ｇ、Ｂの主発光ピークを１００ｎｍ以上離すようにした。そして、混色領域には、その両方の発色層を発色させるようなある程度の大きさ以上の発光ピークは存在しないようにした。
【０１３９】
これに対し、図２４に示す従来の光源では、ＲとＧの最大発光ピークの差は、１００ｎｍ以上あるが、Ｇの最大ピークである５５０ｎｍと、４８０ｎｍ付近に存在するピークとの差は、７０ｎｍしかない。また、それぞれ６１０ｎｍと５５０ｎｍであるＲとＧの最大発光ピークの差も６０ｎｍ程度しかない。これでは、主発光ピークのすその部分が感光性記録媒体の分光感度の混り合う領域に発光してしまう。
【０１４０】
また、本実施形態では、ＬＣＤ３として、カシオ社製３．５inch、２４万画素のＬＣＤを用い、感光フィルム４としては、富士写真フイルム社製インスタントフィルム「チェキ」を用いた。そして、前述した従来の例と同様にして、ＬＣＤ３をＧの光のみで表示して、感光フィルム４として上記「チェキ」に画像の転写を行った。
【０１４１】
図１５に、Ｇフィルタ透過後の分光分布を示す。図１５からわかるように、４８０ｎｍ〜４９０ｎｍの青の発光ピーク、及びそれ以下の波長の発光も極く少なくなっている。なお、赤（Ｒ）の領域においても、図２４に示す従来例に比べて発光が少なくなっている。
【０１４２】
図１６に、上記条件の下で「チェキ」に画像を転写した結果を示す。図１６は、従来の場合の図２８と同様に、横軸に階調、縦軸に濃度を表したものであり、横軸は右へ行くほど階調が大きくなり（明るい画像表示）、縦軸は下へ行くほど濃度が小さく（つまり明るく）なる。図１６に示すように、本実施形態の場合、Ｇのグラフは、階調が大きくなるに従って下へ降り、Ｇはよく発色しているのに対し、ＲやＢのグラフは略平行で、発色は少ないことがわかる。
【０１４３】
このように、図１６を図２８と比較するとわかるように、従来の図２８ではＢのグラフが下方にあり、Ｂが少し発色しているのに対し、本実施形態の図１６ではＢ（及びＲ）は、濃度２以上のところにのみあり、Ｂの発光は少なくなっている。すなわち、本実施形態の場合、ＬＣＤ３のＧの発色を「チェキ」に再現した色はＧの純色に近づいていることがわかる。
【０１４４】
このように、本実施形態では、Ｇの純色をちきんと出すことができ、これはＲやＢについても同様であり、Ｒ、Ｇ、Ｂ各単色の純色を得ることができる。従って、本実施形態に示すように、光源の棒状ランプの発光スペクトルが混じり合わないように蛍光物質を選択して光源を構成し、この光源を用いた転写方法を用いることにより、これらＲ、Ｇ、Ｂ各単色の純色を出すことができ、他の任意の色はこれを合成することにより出すことが可能となり、転写画像の色再現性を向上させることができる。
【０１４５】
また、このようにピーク波長を、例えば１００ｎｍ以上、離すようにしたため、純色を出すために必要のない色をカットするフィルタを製作し易くなり、またフィルタを構成する層の数を少なくすることができ、安価にフィルタを製作することができる。
【０１４６】
また、本発明の光源としては、上で説明したように棒状ランプに限定されるものではなく、ＬＥＤを用いてもよい。すなわち、ＬＥＤのＲ、Ｇ、Ｂ光源を混ぜて白色光源とした場合にも、Ｒ、Ｇ、Ｂの発光が混ざらないように、その発光のピークを離すことにより同様の効果を得ることができる。このような場合、カラーＬＣＤを使用せず、白黒ＬＣＤを使い、Ｒの画像を出してＬＥＤＲを発光させ、次いでＧ、Ｂを順次重ねて露光して、カラー画像とする場合でも、同様に高画質の画像を得ることができることを意味している。
【０１４７】
また、本発明を別の角度から見た場合、より混色が起きないようにするには、以下のように考えてもよいことが分かる。例えば、図１７に示すように、感光性記録媒体のＲ、Ｇ、Ｂの分光感度に対して、図１７に符号Ｄで示す重なり領域以外の、感光性記録媒体の混色の生じないような領域にのみ、光源の光（Ｂ光、Ｇ光、Ｒ光）が存在する場合が最も良い。ここで、光源の光とは、バックライトの光にカラーＬＣＤの透過率を乗じて得られた光、あるいは、白黒パネルの場合には、光源そのものの光を言う。
【０１４８】
また、次に良い場合は、感光性記録媒体のＲＧＢの分光感度の重なっている領域に、重なっている光の片方だけが発光を持っている場合であり、またその発光量が所定の割合以下の場合である。例えば、図１８に示すように、Ｇの光（Ｇ光）は、ＢとＧ及びＧとＲのそれぞれの重なり領域Ｄに発光を持っているが、Ｒの光（Ｒ光）はＧの領域（ＲとＧの重なり領域Ｄ）には発光を持たず、またＢの光（Ｂ光）もＧの領域（ＢとＧの重なり領域Ｄ）に発光を持たないような場合である。この場合は、緑（Ｇ）の色に赤（Ｒ）や青（Ｂ）の色が混じるが、赤や青には純色が保たれる。
【０１４９】
さらに、次に良い場合は、分光感度の重なる領域（図１７あるいは図１８に示す重なり領域Ｄ）に、Ｂ光、Ｇ光、Ｒ光の発光が、ある一定程度以下の割合で存在する場合である。このとき、この一定程度の発光量あるいは、前述した分光感度の重なる領域に重なる光の片方のみが発光を持っている場合の所定の発光量が、どの程度であればよいかを、以下説明する。
【０１５０】
感光性記録媒体が光を受けて明るくなるのは、各波長の光の強さとその波長における分光感度の積の総和によると考えられる。すなわち、各波長の光の強度をＩ0 、各波長の分光感度をＧ0 とすると、画像の明るさＡは、次の式（１）のように表される。ただし、∝は比例することを表す。
Ａ∝（Ｉ0 ×Ｇ0 ）            ・・・（１）
【０１５１】
例えば、青（Ｂ）を例にとると、青（Ｂ）の画像の明るさＡB は、次の式（２）のように表すことができる。
ＡB ∝Σ（ＩB ×ＧB ）        ・・・（２）
例えば、前述した分光感度の重なり領域に片方の光のみが発光を有する場合の例を考え、Ｉ及びＧはともに、３７０あるいは３８０ｎｍから５１０ｎｍとする。これに対して、分光感度の重なり領域に発光を有しているということは、感光材料は緑（Ｇ）の発色をも有することになる。このＧの発色による明るさＡG は、次の式（３）のように表される。
ＡG ∝Σ（ＩG ×ＧG ）        ・・・（３）
ここで、Ｉ及びＧはともに、４８０ｎｍからＢの光がＧ領域まで発光している波長までである。
【０１５２】
このとき、上記式（２）によって計算されるＡB の中における、上記式（３）によって計算されるＡG の割合が一定割合より少なければよい。この割合は、多くても５０％以下、好ましくは３０％以下、より好ましくは１５％以下であり、さらに最も好ましくは、１０％以下であると考えられる。以上の考え方により、分光感度の重なる領域に発光のピークが存在する場合、あるいは当該領域に発光のピークはないものの、発光のすそのが引いている場合には、その所定の大きさを判断するようにすればよい。
【０１５３】
次に、本発明の第３の態様の転写装置について説明する。
本態様の転写装置は、基本的に、第１の態様の転写装置と同様の構成のものであり、カラー画像表示装置（ＬＣＤ３）に表示された画像を感光性記録媒体（感光フィルム４）に転写する際、グレイの色をきちんと出すようにするものである。本態様の実施形態では、そのためにまず前提として、ＬＣＤ３の光源の棒状ランプ１１のＲ、Ｇ、Ｂのそれぞれの発光スペクトルが混じり合わないようにして、ＬＣＤ３のＲ、Ｇ、Ｂの各単色の色純度を向上させ、感光フィルム４に転写した画像において、混色が生じないようにする。
【０１５４】
ここで、Ｒ、Ｇ、Ｂそれぞれの発光スペクトルが混じり合わないというのは、本発明の第２の態様の説明で述べた通りであるが、理想的には、図１７に示すように、感光フィルム４（「チェキ」）のＲ、Ｇ、Ｂの分光感度に対して、図１７に符号Ｄで示す重なり領域以外の、感光フィルム４の混色の生じないような領域にのみ、光源の光（Ｂ光、Ｇ光、Ｒ光）が存在する場合が最も好ましい。
【０１５５】
このように、混色領域（図１７の符号Ｄで表される領域）に所定以上の大きさの発光ピークを有さないように、あるいは、混色領域以外の領域にのみ発光を有するようにする方法としては、例えば、光源の棒状ランプ１１の蛍光物質を変えて（選択して）所定のスペクトル波形を得るようにする方法や、ＬＥＤのＲ、Ｇ、Ｂの光源を用いて白色光源とする場合に、Ｒ、Ｇ、Ｂの発光が混じらないように、その各発光ピークを離すようにする方法等が考えられる。
【０１５６】
以下説明する本態様の各実施形態は、上に述べたようにＲ、Ｇ、Ｂの各単色の色純度を向上させることを前提として、感光フィルム４（「チェキ」）にグレイがきちんと表現されるように、グレイの色調をコントロールするものである。
【０１５７】
まず、本態様の第１実施形態について説明する。
本実施形態は、ＬＣＤ３のカラーフィルタ３８のＲＧＢの透過特性を変えることにより、感光フィルム４に再現される画像のグレイバランス調整を行うものである。なお、以下の各実施形態をも含めて、ここでいうグレイバランスとは、感光フィルム４（「チェキ」）に画像を転写したときの、転写画像におけるグレイバランスを意味する。従って、それは図２５に示す感光フィルム４（「チェキ」）の分光感度特性、及び光源の分光分布特性に依存するものである。
【０１５８】
本実施形態では、図４に示すＬＣＤ３を構成するカラーフィルタ３８の透過特性を、光源であるバックライトユニット１の棒状ランプ１１の分光分布特性及び感光フィルム４の分光感度特性に応じて変えるようにする。例えば、感光フィルム４に再現されたグレイが青みがかっている場合には、青の光が強いため、カラーフィルタ３８の青（Ｂ）のカラーフィルタ３８Ｂの濃度を高くして、青の光（Ｂ光）の透過特性を下げるようにして、グレイバランスの調整を行う。
【０１５９】
ＬＣＤ３のカラーフィルタ３８を、このように、感光フィルム４及び棒状ランプ１１の分光分布特性に応じてその透過特性を変更して設定し、感光フィルム４を収納したフィルムパック５を、本体ケース６にセットする。そして、バックライトユニット１を点灯し、ＬＣＤ３に所定の画像を表示して、この画像を感光フィルム４に転写する。
【０１６０】
感光フィルム４に画像を転写した後、フィルムケース５１から、図示しないクロー部材によって露光済の感光フィルム４が取り出され、フィルム送り出し兼処理液展開ローラ対６１によって感光フィルム４の一端に設けられている処理液チューブ（図示せず）が押し破られて、処理液を感光フィルム４全面に均一に行き渡らせ、現像を行う処理工程が行われる。このようにして、処理工程の施された感光フィルム４は、本体ケース６の取出口６２から装置外部に送り出される。
【０１６１】
本実施形態によれば、ＬＣＤ３のカラーフィルタ３８の透過特性を変更することにより、感光フィルム４に転写される画像のグレイバランスを調整するようにしたため、色再現性に優れた画像を得ることができる。
【０１６２】
次に本態様の第２実施形態について説明する。
本実施形態は、光源であるバックライトユニット１の棒状ランプ１１の波長スペクトルあるいは強度を変えることにより、感光フィルム４に再現される画像のグレイバランス調整を行うものである。
【０１６３】
例えば、感光フィルム４に再現されている画像において、グレイが青みがかっている場合、青の光が強いため、光源の波長を青が低い方向へ波長をずらすようにスペクトル波形を変えることにより、グレイバランスを調整する。このとき、前述した実施形態の前提として行われているＲ、Ｇ、Ｂの各単色の純色がきちんと出ている範囲内で、波長をずらすようにする。また、このような波長スペクトルの変更は、本実施形態のように光源が棒状ランプ１１の場合には、その蛍光物質を変えたり、その混合割合を変えることによって行うことができる。
【０１６４】
本実施形態は、このように光源の光のスペクトル波形を変えることにより、感光フィルム４に転写される画像のグレイバランスを調整するようにして、画像の転写をするものであり、光源の波形を調整する以外は、前述した第１実施形態と同様である。
【０１６５】
次に本態様の第３実施形態について説明する。
本実施形態は、前述した第１実施形態と同様に、強い光の成分をフィルタによって吸収して、その光の光量を落とすようにしたものであるが、本実施形態では、カラーフィルタ３８はそのままで、これとは別に強い光の成分を吸収するフィルタ（吸収フィルタ）を、バックライトユニット１と感光フィルム４との間に挿入するようにしたものである。
【０１６６】
吸収フィルタは、所定の波長帯域の光を吸収するものであり、これにより、グレイバランスを崩す原因となっている光を吸収することにより、グレイバランスを調整するものである。なお、このような強い光の波長帯域が複数の帯域に分散している場合には、吸収フィルタも１つだけでなく、各波長帯域に応じた吸収を有する複数の吸収フィルタを組み合わせて用いてもよい。
【０１６７】
吸収フィルタは、所定の波長域の光を選択的に吸収する効果を有するものであれば特に限定はされない。例えば、吸収フィルタとして、ダイクロイックミラーを利用することもできる。ダイクロイックミラーは、光の干渉を利用して、特定波長の光のみを透過させるものである。
【０１６８】
また、吸収フィルタを挿入する位置は、バックライトユニット１と感光フィルム４の間であれば、どこでもよく、多孔板２に取り付けても、ＬＣＤ３に取り付けてもよく、特に限定はされない。本実施形態は、吸収フィルタにより強い光の透過特性を下げるようにしてグレイバランスを調整する点以外は、前記第１実施形態と同様である。
【０１６９】
次に本態様の第４実施形態について説明する。
本実施形態は、いままで説明した実施形態のようにフィルタの透過特性を変えたり、光源のスペクトル波形を変えるものとは異なり、ＬＣＤ３に表示される画像の画像データ（デジタル画像データ）を変更して、強い成分の光強度を下げるようにして、感光フィルム４に再現される画像のグレイバランスを調整しようというものである。
【０１７０】
前述したように、ＬＣＤ３に表示される画像は、デジタルスチルカメラ、デジタルビデオカメラあるいはパーソナルコンピュータなどのデジタル画像データ供給部から供給される。このデジタル画像データを、データ処理装置においてＬＣＤ表示用画像データに変換するに際し、制御装置等で変更して、再現画像のグレイバランスに影響を与えるような強い光のデータについては、その強度を小さくして、グレイバランスを調整する。このようにして、光そのものではなく、ＬＣＤ３に表示される画像データを変更することによっても、グレイバランスを調整することができる。
【０１７１】
以上説明した実施形態は、フィルタの光透過特性を変更したり、光源のスペクトル波形を変更することによりグレイバランスを調整するものであったが、これから以後説明する実施形態は、画像露光時間を制御することにより、露光量を制御してグレイバランスを調整するものである。
【０１７２】
次に、本態様の第５実施形態について説明する。
図１９に、本実施形態の転写装置のバックライトユニット１の概略を示す。図１９に示すように、本実施形態におけるバックライトユニット１は、導光板１２と、これにＲ、Ｇ、Ｂの３色の光を導入する光源１３とから構成され、光源１３は、Ｒ、Ｇ、Ｂ各色光を個別に点灯、制御可能とされている。このとき、Ｒ、Ｇ、Ｂの各点灯時間をそれぞれ個別に制御することにより、グレイの色調を制御するようにしてもよいし、Ｒ、Ｇ、Ｂを一度に一定時間点灯し、Ｒ、Ｇ、Ｂでそれぞれ消灯するタイミングをずらすことにより、グレイに調整するようにしてもよい。
【０１７３】
ここで、導光板１２に導入する光を発光する光源１３としては、特に限定はされず、例えば、Ｒ、Ｇ、Ｂをそれぞれ個別に点灯、制御可能なＬＥＤ光源でもよい。また、点灯時間だけでなく、その発光強度も制御可能であってもよい。その場合には、Ｒ、Ｇ、Ｂの各点灯時間及び各光強度を組み合わせて露光量を制御することによりグレイバランスを調整することも可能である。なお、バックライトユニット１以外の構成については、前述した各実施形態におけるものと同様である。
【０１７４】
次に、本態様の第６実施形態について説明する。
本実施形態は、上記第５実施形態のようにＲ、Ｇ、Ｂ各光を発光させるのではなく、発光は白色光で、Ｒ、Ｇ、Ｂのフィルタを切り換えることにより、Ｒ、Ｇ、Ｂの露光時間を制御するものである。図２０に、本実施形態の転写装置のバックライトユニット１の概略を示す。図２０に示すように、本実施形態におけるバックライトユニット１は、導光板１２に対し、棒状ランプ１４から射出された光を、反射板１５により集めて導入するように構成され、さらに棒状ランプ１４と導光板１２との間にＲ、Ｇ、Ｂ３色からなるカラーフィルタ１６が切り換え可能に設置されている。
【０１７５】
カラーフィルタ１６は、平面状にＲ、Ｇ、Ｂ３色のカラーフィルタを並べて構成したものであり、図に矢印Ｘで示すように、スライドさせて導光板１２にＲ、Ｇ、Ｂの各色の光が導入されるようにするものである。このとき、矢印Ｘ方向にカラーフィルタ１６をスライドさせて、Ｒ、Ｇ、Ｂを切り換える時間（各Ｒ、Ｇ、Ｂを点灯する時間）を個別に制御することにより、Ｒ、Ｇ、Ｂの各露光量を制御してグレイバランスを調整するようにする。カラーフィルタ１６をスライドさせる移動手段は特に限定はされず、任意の公知の移動手段を用いることができる。
【０１７６】
次に、本態様の第７実施形態について説明する。
本実施形態も前記第６実施形態と同様に、棒状ランプと導光板との間にカラーフィルタを配置して、このカラーフィルタを切り換えることにより、Ｒ、Ｇ、Ｂの各露光量を制御してグレイバランスを調整するものである。図２１に、本実施形態の転写装置のバックライトユニット１の概略を示す。図２１に示すように、本実施形態では、棒状ランプ１４の周りに円形に（円筒状に）Ｒ、Ｇ、Ｂのカラーフィルタ１７を配置して、図に矢印Ｙで示すように、棒状ランプ１４の周りにカラーフィルタ１７を回転させることにより、Ｒ、Ｇ、Ｂを切り換えるようにしている。このように、カラーフィルタ１７を棒状ランプ１４の周りに回転させてＲ、Ｇ、Ｂの各露光時間を制御して、前記第６実施形態と同様に、グレイバランスを調整することができる。
【０１７７】
なお、以上説明した各実施形態は、それぞれ単独に実施するのみならず、そのいくつかを任意に組み合わせて実施することにより、グレイバランス調整においてより大きな効果をあげることができる。
【０１７８】
以上、本発明の転写装置について、各態様の実施形態を例に挙げて詳細に説明したが、本発明は、以上の実施形態に限定されるものではなく、本発明の要旨を逸脱しない範囲において、各種の改良や変更を行ってもよいのはもちろんである。
【図面の簡単な説明】
【０１７９】
【図１】本発明の第１態様の第１実施形態に係る転写装置を示す模式的側断面図である。
【図２】本発明の第１態様の第１実施形態に係る転写装置の要部を示す模式的断面図である。
【図３】（ａ）は本発明の第１態様の第１実施形態の転写装置に使用される多孔板の一部を拡大して示す正面図、（ｂ）は本発明の第１態様の第１実施形態の転写装置に使用される多孔板の第１の変形例を示す正面図、（ｃ）は本発明の第１態様の第１実施形態の転写装置に使用される多孔板の第２の変形例を示す正面図である。
【図４】本発明の第１態様の第１実施形態の転写装置に使用される透過型の液晶表示素子の構造を示す断面図である。
【図５】縦軸に透過率をとり、横軸に波長をとって、Ｒ、Ｇ、およびＢの各色のカラーフィルタの分光透過率曲線を示すグラフである。
【図６】本発明の第１態様の第１実施形態の転写装置に使用されるフィルムパック５の一例の構造を示す斜視図である。
【図７】縦軸に透過率をとり、横軸に波長をとって、Ｂのカラーフィルタ分光透過特性、およびこのＢのカラーフィルタに添加されるカラーフィルタの分光透過特性を示すグラフである。
【図８】本発明の第１態様の第１実施形態に係る転写装置の第１の変形例を示す模式的断面図である。
【図９】図８の転写装置の要部を示す模式的断面図である。
【図１０】（ａ）は本発明の第１態様の第１実施形態に係る転写装置の第１の変形例に使用される多孔板を示す斜視図、（ｂ）は本発明の第１態様の第１実施形態に係る転写装置の第１の変形例に使用される多孔板の他例を示す模式的断面図である。
【図１１】（ａ）乃至（ｄ）は本発明の第１態様の第１実施形態に係る転写装置の第１の変形例に使用される多孔板の貫通孔の配置を示す正面図である。
【図１２】本発明の第１態様の第１実施形態に係る転写装置の第２の変形例を示す模式的断面図である。
【図１３】本発明の第１態様の第１実施形態に係る転写装置の第３の変形例を示す模式図である。
【図１４】本発明の第２の態様の実施形態で用いる光源の分光スペクトルを示す線図である。
【図１５】本発明の第２の態様の実施形態において、Ｇフィルタ透過後の分光分布波形を示す線図である。
【図１６】本発明の第２の態様の実施形態において、ＬＣＤにＧを表示して転写した結果を示す線図である。
【図１７】感光性記録媒体の分光感度分布に対する光源の発光強度の分布を示す線図である。
【図１８】感光性記録媒体の分光感度分布に対する光源の発光強度の分布の他の例を示す線図である。
【図１９】本発明の第３の態様の第５実施形態に係る転写装置のバックライトユニットの概略構成を示す概略斜視図である。
【図２０】本発明の第３の態様の第６実施形態に係る転写装置のバックライトユニットの概略構成を示す側面図である。
【図２１】本発明の第３の態様の第７実施形態に係る転写装置のバックライトユニットの概略構成を示す側面図である。
【図２２】（ａ）は特許文献２に開示された印写装置を示す側面図、（ｂ）は（ａ）のＤ部拡大図である。
【図２３】特許文献２の他の実施形態の印写装置を示す斜視図である。
【図２４】縦軸に光強度をとり、横軸に波長をとって、ＬＣＤのバックライト光源のスペクトル波形を示すグラフである。
【図２５】縦軸に感度をとり、横軸に波長をとって、感光フィルムのＲ光、Ｇ光、およびＢ光における分光感度特性を示すグラフである。
【図２６】縦軸に光強度をとり、横軸に波長をとって、ＬＣＤのＧのカラーフィルタを透過した光の分光強度特性を示すグラフである。
【図２７】ＬＣＤのカラーフィルタの分光透過率の一例を示す線図である。
【図２８】従来の転写装置におけるＧ光表示による転写の結果を示す線図である。
【符号の説明】
【０１８０】
１  バックライトユニット
１ａ  線状略平行光生成ユニット
１１、１４  棒状ランプ
１１ａ  線状光源
１２  導光板
１３  光源
１５  反射板
１６、１７  カラーフィルタ
２、２０、２０ａ  多孔板
２１、２２  貫通孔
２１ａ  ４角形格子
２１ｂ  ６角形格子
２２ａ  凹み
２３  ロッドレンズ
２４  ミラー
３  ＬＣＤ
３ａ  ＬＣＤの画像表示面
３１、３７  偏光板
３２、３６  基板
３３、３５  電極
３４  液晶層
３８、３８Ｒ、３８Ｇ、３８Ｂ  カラーフィルタ
３９  ブラックマトリックス
４  感光フィルム
４ａ  感光フィルム４の感光面
５  フィルムパック
５１  フィルムケース
５２  切り欠き
５３  露光済みフィルムの取出口
５４  開口部
６  本体ケース
６１  露光済みフィルムの送り出し兼処理液展開ローラ対
６２  露光済みフィルムの取出口
６３  バックアップ用押圧ピン
７ａ、７ｂ  遮光マスク
８  移動手段
８ａ  モータ
８ｂ  無端ベルト
８ｃ  プーリ
Ｒ1 、Ｇ1 、Ｂ1 、Ｒ2 、Ｇ2 、Ｂ2  分光透過率曲線
【図１】
2004170922.tif 000003
【図２】
2004170922.tif 000004
【図３】
2004170922.tif 000005
【図４】
2004170922.tif 000006
【図５】
2004170922.tif 000007
【図６】
2004170922.tif 000008
【図７】
2004170922.tif 000009
【図８】
2004170922.tif 000010
【図９】
2004170922.tif 000011
【図１０】
2004170922.tif 000012
【図１１】
2004170922.tif 000013
【図１２】
2004170922.tif 000014
【図１３】
2004170922.tif 000015
【図１４】
2004170922.tif 000016
【図１５】
2004170922.tif 000017
【図１６】
2004170922.tif 000018
【図１７】
2004170922.tif 000019
【図１８】
2004170922.tif 000020
【図１９】
2004170922.tif 000021
【図２０】
2004170922.tif 000022
【図２１】
2004170922.tif 000023
【図２２】
2004170922.tif 000024
【図２３】
2004170922.tif 000025
【図２４】
2004170922.tif 000026
【図２５】
2004170922.tif 000027
【図２６】
2004170922.tif 000028
【図２７】
2004170922.tif 000029
【図２８】
2004170922.tif 000030